(57)【特許請求の範囲】
【請求項１】
プロセッサとメモリとを備えているネットワーク装置であって、前記メモリは、コンピュータ実行可能な命令を記憶し、前記命令は、前記プロセッサによって実行されると、通信ネットワークにおける統合されたスモールセルおよびＷｉＦｉ（ＩＳＷ）ゲートウェイを実装し、前記ＩＳＷゲートウェイは、
第１のインターフェースを介して信頼されている無線ローカルエリアネットワーク（ＷＬＡＮ）アクセスノードから、セッション作成要求メッセージを受信することであって、前記セッション作成要求メッセージは、ユーザ機器（ＵＥ）セッションのホーム進化型ノードＢ（ＨｅＮＢ）から信頼されているＷＬＡＮへのハンドオーバーに関連付けられており、前記セッション作成要求メッセージは、前記ハンドオーバーの指標と、アクセスポイント名（ＡＰＮ）と、前記ＵＥに関連付けられている識別子と、無線アクセス技術（ＲＡＴ）タイプとを含む、ことと、
第２のインターフェースを介して制御プレーンエンティティに前記セッション作成要求メッセージを送信することであって、前記セッション作成要求メッセージは、前記ハンドオーバーの指標と、前記ＡＰＮと、前記ＵＥに関連付けられている前記識別子と、前記ＲＡＴタイプとを含む、ことと、
前記第２のインターフェースを介して前記制御プレーンエンティティから、セッション作成応答メッセージを受信することであって、前記セッション作成応答メッセージは、汎用パケット無線サービス（ＧＰＲＳ）トンネリングプロトコル（ＧＴＰ）トンネル情報とベアラパラメータとを含む、ことと、
前記第１のインターフェースを介して前記信頼されているＷＬＡＮアクセスノードに前記セッション作成応答メッセージを送信することであって、前記セッション作成応答メッセージは、前記ＧＴＰトンネル情報と前記ベアラパラメータとを含む、ことと
を含む動作を行うように構成されている、ネットワーク装置。
【請求項２】
前記第１のインターフェースは、前記信頼されているＷＬＡＮと前記ＩＳＷゲートウェイとの間の通信をサポートするように構成されており、
前記第２のインターフェースは、前記ＩＳＷゲートウェイと前記制御プレーンエンティティとの間の通信をサポートするように構成されている、請求項１に記載の装置。
【請求項３】
前記セッション作成要求メッセージは、サービスセット識別子（ＳＳＩＤ）または基本サービスセット識別子（ＢＳＳＩＤ）のうちの少なくとも１つをさらに含む、請求項１に記載の装置。
【請求項４】
前記ハンドオーバーは、前記ＵＥが、既存の接続を前記ＨｅＮＢから前記信頼されているＷＬＡＮにハンドオーバーすることを決定することによって開始される、請求項１に記載の装置。
【請求項５】
前記セッション作成応答メッセージは、前記ＵＥのための割り当てられたインターネットプロトコル（ＩＰ）アドレスをさらに含む、請求項４に記載の装置。
【請求項６】
前記信頼されているＷＬＡＮは、前記ハンドオーバーが成功したことを示すものを前記ＵＥに送信する、請求項４に記載の装置。
【請求項７】
前記セッション作成要求メッセージは、５Ｇ−ＧＵＴＩまたは５Ｇ−Ｓ−ＴＭＳＩのうちの１つに送信される、請求項１に記載の装置。
【請求項８】
プロセッサとメモリとを備えているネットワーク装置であって、前記メモリは、コンピュータ実行可能な命令を記憶し、前記命令は、前記プロセッサによって実行されると、通信ネットワークにおける統合されたスモールセルおよびＷｉＦｉ（ＩＳＷ）ゲートウェイを実装し、前記ＩＳＷゲートウェイは、
第１のインターフェースを介して信頼されている無線ローカルエリアネットワーク（ＷＬＡＮ）アクセスノードから、セッション作成要求メッセージを受信することであって、前記セッション作成要求メッセージは、ホーム進化型ノードＢ（ＨｅＮＢ）および信頼されているＷＬＡＮ接続の両方を使用するユーザ機器（ＵＥ）によるパケットデータネットワーク（ＰＤＮ）へのマルチ接続に関連付けられており、前記セッション作成要求メッセージは、前記マルチ接続の指標と、アクセスポイント名（ＡＰＮ）と、前記ＵＥに関連付けられている識別子と、無線アクセス技術（ＲＡＴ）タイプとを含む、ことと、
第２のインターフェースを介して制御プレーンエンティティに前記セッション作成要求メッセージを送信することであって、前記セッション作成要求メッセージは、前記マルチ接続の指標と、前記ＡＰＮと、前記ＵＥに関連付けられている前記識別子と、前記ＲＡＴタイプとを含む、ことと、
前記第２のインターフェースを介して前記制御プレーンエンティティから、セッション作成応答メッセージを受信することであって、前記セッション作成応答メッセージは、汎用パケット無線サービス（ＧＰＲＳ）トンネリングプロトコル（ＧＴＰ）トンネル情報とベアラパラメータとを含む、ことと、
前記第１のインターフェースを介して前記信頼されているＷＬＡＮアクセスノードに前記セッション作成応答メッセージを送信することであって、前記セッション作成応答メッセージは、前記ＧＴＰトンネル情報と前記ベアラパラメータとを含む、ことと
を含む動作を行うように構成されている、ネットワーク装置。
【請求項９】
前記第１のインターフェースは、前記信頼されているＷＬＡＮと前記ＩＳＷゲートウェイとの間の通信をサポートするように構成されており、
前記第２のインターフェースは、前記ＩＳＷゲートウェイと前記制御プレーンエンティティとの間の通信をサポートするように構成されている、請求項８に記載の装置。
【請求項１０】
前記セッション作成要求メッセージは、サービスセット識別子（ＳＳＩＤ）または基本サービスセット識別子（ＢＳＳＩＤ）のうちの少なくとも１つをさらに含む、請求項８に記載の装置。
【請求項１１】
前記マルチ接続は、前記ＵＥが、既存の接続を前記ＨｅＮＢから前記信頼されているＷＬＡＮにマルチ接続することを決定することによって開始される、請求項８に記載の装置。
【請求項１２】
前記セッション作成応答メッセージは、前記ＵＥのための割り当てられたインターネットプロトコル（ＩＰ）アドレスをさらに含む、請求項１１に記載の装置。
【請求項１３】
前記信頼されているＷＬＡＮは、前記マルチ接続が成功したことを示すものを前記ＵＥに送信する、請求項１１に記載の装置。
【請求項１４】
前記セッション作成要求メッセージは、５Ｇ−ＧＵＴＩまたは５Ｇ−Ｓ−ＴＭＳＩのうちの１つに送信される、請求項８に記載の装置。
【請求項１５】
プロセッサとメモリとを備えているネットワーク装置であって、前記メモリは、コンピュータ実行可能な命令を記憶し、前記命令は、前記プロセッサによって実行されると、通信ネットワークにおける統合されたスモールセルおよびＷｉＦｉ（ＩＳＷ）ゲートウェイを実装し、前記ＩＳＷゲートウェイは、
第１のインターフェースを介して信頼されている無線ローカルエリアネットワーク（ＷＬＡＮ）アクセスノードから、セッション作成要求メッセージを受信することであって、前記セッション作成要求メッセージは、パケットデータネットワーク（ＰＤＮ）または進化型パケットコア（ＥＰＣ）のうちの１つへのユーザ機器（ＵＥ）による初期接続に関連付けられている、ことと、
第２のインターフェースを介して制御プレーンエンティティに前記セッション作成要求メッセージを送信することと、
前記第２のインターフェースを介して前記制御プレーンエンティティから、セッション作成応答メッセージを受信することであって、前記セッション作成応答メッセージは、汎用パケット無線サービス（ＧＰＲＳ）トンネリングプロトコル（ＧＴＰ）トンネル情報とベアラパラメータとを含む、ことと、
前記第１のインターフェースを介して前記信頼されているＷＬＡＮアクセスノードに前記セッション作成応答メッセージを送信することであって、前記セッション作成応答メッセージは、前記ＧＴＰトンネル情報と前記ベアラパラメータとを含む、ことと
を含む動作を行うように構成されている、ネットワーク装置。
【請求項１６】
前記第１のインターフェースは、前記信頼されているＷＬＡＮと前記ＩＳＷゲートウェイとの間の通信をサポートするように構成されており、
前記第２のインターフェースは、前記ＩＳＷゲートウェイと前記制御プレーンエンティティとの間の通信をサポートするように構成されている、請求項１５に記載の装置。
【請求項１７】
前記セッション作成要求メッセージは、サービスセット識別子（ＳＳＩＤ）または基本サービスセット識別子（ＢＳＳＩＤ）をさらに含む、請求項１５に記載の装置。
【請求項１８】
前記信頼されているＷＬＡＮは、前記初期接続が成功したことを示すものを前記ＵＥに送信する、請求項１５に記載の装置。
【請求項１９】
前記セッション作成応答メッセージは、前記ＵＥのための割り当てられたインターネットプロトコル（ＩＰ）アドレスをさらに含む、請求項１５に記載の装置。
【請求項２０】
前記セッション作成要求メッセージは、５Ｇ−ＧＵＴＩまたは５Ｇ−Ｓ−ＴＭＳＩのうちの１つに送信される、請求項１５に記載の装置。
【発明の詳細な説明】
【技術分野】
【０００１】
（関連出願の引用）
本願は、米国仮特許出願第６２／０２４，１５７号（２０１４年７月１４日出願）の米国特許法§１１９（ｅ）に基づく利益を主張し、上記出願の内容は、その全体が参照により本明細書に引用される。
【背景技術】
【０００２】
無線通信技術が進化するにつれて、追加の要求が、多様な無線ネットワークのより広範な使用をサポートするために、無線システムに課されている。モバイルネットワークオペレータ（ＭＮＯ）は、それらのセルラーおよびコアネットワークサービスを補完する方法で「キャリアグレード」のＷｉ−Ｆｉを組み込み始めている。例えば、ＭＮＯは、それらのセルラーおよびコアネットワークからインターネットトラフィックをオフロードするために、ＩＥＥＥ８０２．１１に基づく無線ローカルエリアネットワーキング技術を指す、ＷｉＦｉの採用を模索している。ＭＮＯは、Ｗｉ−Ｆｉネットワークのユーザに、セルラーシステムの進化型パケットコア（ＥＰＣ）へのアクセスを提供しようともしている。
【０００３】
セルラーネットワークとＷｉ−Ｆｉネットワークとのシステム間統合の要求は増加し続けているが、そのような統合を提供する既存の方法は、リソース集約的であることが証明され、進行中の通信に中断をもたらすことが多すぎる。
【発明の概要】
【課題を解決するための手段】
【０００４】
出願人は、本明細書において、統合されたロングタームエボリューション（ＬＴＥ）および信頼されているＷＬＡＮアクセスネットワーク（ＴＷＡＮ）におけるシステム間移動性のためのシステムおよび方法を開示する。例示的システムは、移動性管理エンティティ（ＭＭＥ）およびサービングゲートウェイ（ＳＧＷ）と統合され、ＨｅＮＢ／ＬＴＥアクセスネットワークおよびＴＷＡＮの両方とのインターフェースを有する統合されたスモールセルおよびＷｉＦｉ（ＩＳＷ）ゲートウェイ（ＧＷ）を備えている。ＩＳＷ  ＧＷは、ＬＴＥアクセスネットワークおよびＴＷＡＮの両方のための共通制御ゲートウェイおよび共通ユーザゲートウェイの両方として動作する。ＩＳＷ  ＧＷは、制御プレーン通信をＬＴＥアクセスネットワークおよびＴＷＡＮの両方から受信し、通信をＬＴＥおよびＴＷＡＮアクセスの両方のための共通制御プレーンとして動作するＭＭＥに転送する。同様に、ＩＳＷ  ＧＷは、ユーザプレーン通信をＬＴＥアクセスネットワークおよびＴＷＡＮの両方から受信し、通信をＬＴＥアクセスネットワークおよびＴＷＡＮの両方のための共通ユーザプレーンとして動作するＳＧＷに転送する。
【０００５】
ユーザ機器（ＵＥ）は、ＩＳＷ  ＧＷならびに統合されたＭＭＥおよびＳＧＷへのその接続を介して、ＬＴＥアクセスネットワークまたはＴＷＡＮのいずれかを通して、パケットデータネットワーク（ＰＤＮ）の能力にアクセスすることが可能である。さらに、ＵＥとＰＤＮとの間の既存の通信接続が、ＬＴＥアクセスネットワークまたはＴＷＡＮのうちの一方から他方にハンドオーバーされ得る。なおさらに、ＭＭＥおよびＳＧＷは、１つはＬＴＥアクセスネットワークを介して、１つはＴＷＡＮを介して、ＵＥとパケットネットワークとの間の２つの通信経路を同時に維持することを提供する。
【０００６】
本概要は、以下の発明を実施するための形態にさらに説明される簡略化された形態における一連の概念を紹介するために提供される。本概要は、請求される主題の重要な特徴または不可欠な特徴を識別することを意図するものではなく、請求される主題の範囲を限定するために使用されることを意図するものでもない。他の特徴は、以下に説明される。
本発明はさらに、例えば、以下を提供する。
（項目１）
システムであって、
ユーザデバイスに無線ワイヤレスネットワークへのアクセスを提供するように適合されている信頼されている無線アクセスネットワークと、
３ＧＰＰアクセスネットワークと通信可能に結合されている統合されたスモールセルおよびＷｉＦｉゲートウェイと
を備え、
前記統合されたスモールセルおよびＷｉＦｉゲートウェイは、第１の通信インターフェースを介して、前記信頼されている無線アクセスネットワークと通信可能に結合され、前記第１の通信インターフェースは、前記統合されたスモールセルおよびＷｉＦｉゲートウェイと前記信頼されている無線アクセスネットワークとの間で制御プレーンデータおよびユーザプレーンデータを受信および伝送し、
前記統合されたスモールセルおよびＷｉＦｉゲートウェイは、第２のインターフェースを介して、制御プレーンデータを前記３ＧＰＰアクセスネットワークと通信し、第３のインターフェースを介して、ユーザプレーンデータを前記３ＧＰＰアクセスネットワークと通信し、
前記統合されたスモールセルおよびＷｉＦｉゲートウェイは、第４のインターフェースを介して、制御プレーンデータを移動性管理エンティティサーバと通信し、
前記統合されたスモールセルおよびＷｉＦｉゲートウェイは、パケットデータネットワークと通信可能に結合されている第５のインターフェースを介して、ユーザプレーンデータをサービングゲートウェイと通信する、システム。
（項目２）
前記信頼されている無線アクセスネットワークは、信頼されている無線アクセスゲートウェイを備え、前記信頼されている無線アクセスゲートウェイは、前記第１の通信インターフェースを介して、前記統合されたスモールセルおよびＷｉＦｉゲートウェイと通信するようにプログラムされている、項目１に記載のシステム。
（項目３）
前記信頼されている無線アクセスネットワークは、無線ローカルエリアネットワークアクセスノードを備え、前記無線ローカルエリアネットワークアクセスノードは、前記第１の通信インターフェースを介して、前記スモールセルおよびＷｉＦｉゲートウェイと通信するようにプログラムされている、項目１に記載のシステム。
（項目４）
前記第１の通信インターフェースは、Ｓ１ａインターフェースである、項目１に記載のシステム。
（項目５）
前記第２の通信インターフェースは、Ｓ１−ＭＭＥインターフェースであり、前記第３の通信インターフェースは、Ｓ１−Ｕインターフェースである、項目１に記載のシステム。
（項目６）
前記第４の通信インターフェースは、Ｓ１−ＭＭＥ’インターフェースであり、前記第５の通信インターフェースは、Ｓ１−Ｕ’インターフェースである、項目１に記載のシステム。
（項目７）
前記信頼されている無線アクセスネットワークは、前記スモールセルおよびＷｉＦｉゲートウェイと前記信頼されている無線アクセスネットワークと通信可能に結合されているユーザデバイスとの間でデータ通信するようにプログラムされている、項目１に記載のシステム。
（項目８）
前記スモールセルおよびＷｉＦｉゲートウェイは、前記第１の通信インターフェースを
介して、前記サービングゲートウェイから受信されるデータを前記信頼されている無線アクセスネットワークに通信するようにプログラムされている、項目１に記載のシステム。
（項目９）
システムであって、
１つ以上のコンピューティングプロセッサと、
前記１つ以上のコンピューティングプロセッサと通信可能に結合されているコンピューティングメモリと
を備え、
前記コンピューティングメモリは、実行可能命令を備え、前記命令は、前記１つ以上のコンピューティングプロセッサによる実行時、
第１の通信インターフェースを介して、制御プレーンデータおよびユーザプレーンデータを信頼されている無線アクセスネットワークと通信することと、
第２の通信インターフェースを介して、制御プレーンデータを３ＧＰＰアクセスネットワークと通信することと、
第３の通信インターフェースを介して、ユーザプレーンデータを前記３ＧＰＰアクセスネットワークと通信することと、
第４の通信インターフェースを介して、制御プレーンデータを移動性管理エンティティサーバと通信することと、
第５の通信インターフェースを介して、ユーザプレーンデータをパケットデータネットワークと通信可能に結合されているサービングゲートウェイと通信することと
を含む動作を前記システムに行わせる、システム。
（項目１０）
第１の通信インターフェースを介して、制御プレーンデータおよびユーザプレーンデータを信頼されている無線アクセスネットワークと通信することは、制御プレーンデータおよびユーザプレーンデータを信頼されている無線アクセスゲートウェイと通信することを含む、項目９に記載のシステム。
（項目１１）
第１の通信インターフェースを介して、制御プレーンデータおよびユーザプレーンデータを信頼されている無線アクセスネットワークと通信することは、制御プレーンデータおよびユーザプレーンデータを無線ローカルエリアネットワークアクセスノードと通信することを含む、項目９に記載のシステム。
（項目１２）
前記第１の通信インターフェースは、Ｓ１ａインターフェースである、項目９に記載のシステム。
（項目１３）
前記第２の通信インターフェースは、Ｓ１−ＭＭＥインターフェースであり、前記第３の通信インターフェースは、Ｓ１−Ｕインターフェースである、項目９に記載のシステム。
（項目１４）
前記第４の通信インターフェースは、Ｓ１−ＭＭＥ’インターフェースであり、前記第５の通信インターフェースは、Ｓ１−Ｕ’インターフェースである、項目９に記載のシステム。
（項目１５）
方法であって、
無線アクセスネットワークが、ユーザデバイスから接続を確立するための要求を受信することと、
前記無線アクセスネットワークが、統合されたスモールセルおよびＷｉＦｉゲートウェイにセッションを作成するための要求を通信することと、
前記統合されたスモールセルおよびＷｉＦｉゲートウェイが、移動性管理エンティティ
にセッションを作成するための要求を通信することと、
前記移動性管理エンティティが、サービングゲートウェイにセッションを作成するための要求を通信することと、
前記サービングゲートウェイが、前記移動性管理エンティティに応答を通信することと、
前記移動性管理エンティティが、前記統合されたスモールセルおよびＷｉＦｉゲートウェイに応答を通信することと、
前記統合されたスモールセルおよびＷｉＦｉゲートウェイが、前記無線アクセスネットワークに接続が確立されたことを示す応答を通信することと、
前記無線アクセスネットワークが、前記ユーザデバイスに接続が確立されたことを示す応答を通信することと
を含む、方法。
（項目１６）
前記無線アクセスネットワークが、前記ユーザデバイスにインターネットプロトコルアドレスを伝送することをさらに含む、項目１５に記載の方法。
（項目１７）
前記無線アクセスネットワークが、前記サービングゲートウェイと前記ユーザデバイスとの間でデータをルーティングすることをさらに含む、項目１５に記載の方法。
（項目１８）
前記ユーザデバイスから接続を確立するための要求を受信することは、前記ユーザデバイスからＷｉ−Ｆｉアクセスポイントに関連付けるための要求を受信することを含む、項目１５に記載の方法。
（項目１９）
前記無線アクセスネットワークは、信頼されている無線アクセスネットワークである、項目１５に記載の方法。
（項目２０）
方法であって、
無線アクセスネットワークが、ユーザデバイスから無線ローカルエリアネットワークとの接続を確立するための要求を受信することであって、前記ユーザデバイスは、セルラー通信を介して、パケットデータネットワークとの既存の接続を有する、ことと、
前記無線アクセスネットワークが、セッションを作成するための要求を生成し、統合されたスモールセルおよびＷｉＦｉゲートウェイに伝送することと、
前記統合されたスモールセルおよびＷｉＦｉゲートウェイが、セッションを作成するための要求を移動性管理エンティティに伝送することと、
前記移動性管理エンティティが、作成要求を生成し、選択されたサービングゲートウェイに伝送することと、
前記選択されたサービングゲートウェイが、セッションを作成するための要求を生成し、選択されたＰＤＮゲートウェイに伝送することであって、前記セッションを作成するための要求は、前記パケットデータネットワークとの既存の接続によって使用されている既存の通信経路をハンドオーバーすることを示す情報を含む、ことと、
前記選択されたサービングゲートウェイが、セッション作成応答を前記選択されたＰＤＮゲートウェイから受信することであって、前記セッション作成応答は、セルラー通信を介した前記パケットデータネットワークとの既存の接続に関連して前記ユーザデバイスに以前に割り当てられたネットワークアドレスを含む、ことと、
前記選択されたサービングゲートウェイが、前記セッション作成応答を前記移動性管理エンティティに伝送することと、
前記移動性管理エンティティが、前記セッション作成応答を前記統合されたスモールセルおよびＷｉＦｉゲートウェイに伝送することと、
前記統合されたスモールセルおよびＷｉＦｉゲートウェイが、前記セッション作成応答を前記無線アクセスネットワークに伝送することと、
前記無線アクセスネットワークが、前記ユーザデバイスとの接続が確立されたことを示す情報を生成し、前記ユーザデバイスに伝送することと
を含む、方法。
（項目２１）
前記ユーザデバイスが、セルラー通信を介した前記パケットデータネットワークとの既存の接続の解放を開始することをさらに含む、項目２０に記載の方法。
（項目２２）
前記無線アクセスネットワークが、データを前記ユーザデバイスに送受信することをさらに含む、項目２０に記載の方法。
（項目２３）
前記無線アクセスネットワークは、信頼されている無線アクセスネットワークである、項目２０に記載の方法。
（項目２４）
コンピュータ実装方法であって、
無線アクセスネットワークが、ユーザデバイスからパケットデータネットワークとの無線アクセス接続を確立するための要求を受信することであって、前記ユーザデバイスは、統合されたスモールセルおよびＷｉｆｉゲートウェイ、移動性管理エンティティ、ならびにサービングゲートウェイを使用して、セルラー通信を介して、前記パケットデータネットワークとの既存の接続を有し、前記要求は、前記既存の接続を維持することを示す、ことと、
前記無線アクセスネットワークが、セッションを作成するための要求を生成し、前記統合されたスモールセルおよびＷｉＦｉゲートウェイに伝送することであって、前記要求は、前記既存の接続を維持することを示す、ことと、
前記統合されたスモールセルおよびＷｉＦｉゲートウェイが、セッションを作成するための要求を前記移動性管理エンティティに伝送することと、
前記移動性管理エンティティが、作成要求を生成し、前記サービングゲートウェイに伝送することであって、前記要求は、前記既存の接続を維持することを示す、ことと、
前記サービングゲートウェイが、セッションを作成するための要求を生成し、選択されたＰＤＮゲートウェイに伝送することであって、前記要求は、前記既存の接続を維持することを示す、ことと、
前記選択されたサービングゲートウェイが、セッション作成応答を前記選択されたＰＤＮゲートウェイから受信することであって、前記セッション作成応答は、前記既存の接続に関連して前記ユーザデバイスに以前に割り当てられたネットワークアドレスを含む、ことと、
前記選択されたサービングゲートウェイが、前記セッション作成応答を前記移動性管理エンティティに伝送することと、
前記移動性管理エンティティが、前記セッション作成応答を統合されたスモールセルおよびＷｉＦｉゲートウェイに伝送することと、
前記統合されたスモールセルおよびＷｉＦｉゲートウェイが、前記セッション作成応答を前記無線アクセスネットワークに伝送することと、
前記無線アクセスネットワークが、前記ユーザデバイスとの接続が確立されたことを示す情報を生成し、伝送することと
を含む、コンピュータ実装方法。
（項目２５）
前記無線アクセスネットワークは、信頼されている無線アクセスネットワークである、項目２４に記載のコンピュータ実装方法。
（項目２６）
コンピュータ実装方法であって、
セルラー通信ネットワークが、ユーザデバイスから前記セルラー通信ネットワークにアタッチするためのアタッチ要求を受信することであって、前記アタッチ要求は、ハンドオーバーを実施するための指示を含み、前記ユーザデバイスは、無線アクセスネットワークを介して、パケットデータネットワークとの既存の接続を有する、ことと、
前記セルラー通信ネットワークが、統合されたスモールセルおよびＷｉＦｉゲートウェイに、前記アタッチ要求を識別し、ハンドオーバーを実施するための指示を含むメッセージを通信することと、
前記統合されたスモールセルおよびＷｉＦｉが、移動性管理エンティティにアタッチするための要求を通信することであって、前記要求は、ハンドオーバーを実施するための指示を含む、ことと、
前記移動性管理エンティティが、無線アクセスネットワークを介した前記パケットデータネットワークとの既存の接続に関する情報を読み出すことと、
前記移動性管理エンティティが、作成要求を生成し、選択されたサービングゲートウェイに伝送することと、
前記選択されたサービングゲートウェイが、セッションを作成するための要求を生成し、選択されたＰＤＮゲートウェイに伝送することであって、前記セッションを作成するための要求は、前記パケットデータネットワークへの既存の接続によって使用されている既存の通信経路をハンドオーバーすることを示す情報を含む、ことと、
前記選択されたサービングゲートウェイが、セッション作成応答を前記選択されたＰＤＮゲートウェイから受信することであって、前記セッション作成応答は、セルラー通信を介した前記パケットデータネットワークとの既存の接続に関連して前記ユーザデバイスに以前に割り当てられたネットワークアドレスを含む、ことと、
前記選択されたサービングゲートウェイが、前記セッション作成応答を前記移動性管理エンティティに伝送することと、
前記移動性管理エンティティが、前記セッション作成応答を前記統合されたスモールセルおよびＷｉＦｉゲートウェイに伝送することと、
前記移動性管理エンティティが、前記統合されたスモールセルおよびＷｉＦｉゲートウェイを介して、前記セルラー通信ネットワークに前記セルラー通信ネットワークと前記サービングゲートウェイとの間に通信経路を確立するための要求を通信することと、
前記移動性管理エンティティが、前記統合されたスモールセルおよびＷｉＦｉゲートウェイを介して、前記無線アクセスネットワークに無線アクセスネットワークを介した前記パケットデータネットワークとの既存の接続を非アクティブ化するための要求を通信することと
を含む、コンピュータ実装方法。
（項目２７）
前記無線アクセスネットワークは、信頼されている無線ネットワークである、項目２６に記載のコンピュータ実装方法。
（項目２８）
コンピュータ実装方法であって、
セルラー通信ネットワークが、ユーザデバイスからパケットデータネットワークとの接続を確立するための要求を受信することであって、前記ユーザデバイスは、統合されたスモールセルおよびＷｉｆｉゲートウェイ、移動性管理エンティティ、ならびにサービングゲートウェイを使用する、無線アクセスネットワークを介して、前記パケットデータネットワークとの既存の接続を有し、前記要求は、前記既存の接続を維持することを示す、ことと、
前記セルラー通信ネットワークが、前記統合されたスモールセルおよびＷｉＦｉゲートウェイにアタッチ要求を通信することであって、前記アタッチ要求は、前記既存の接続を維持することを示す、ことと、
前記統合されたスモールセルおよびＷｉＦｉゲートウェイが、セッションを作成するための要求を前記移動性管理エンティティに伝送することと、
前記移動性管理エンティティが、作成要求を生成し、前記サービングゲートウェイに伝送することであって、前記要求は、前記既存の接続を維持することを示す、ことと、
前記サービングゲートウェイが、セッションを作成するための要求を生成し、選択されたＰＤＮゲートウェイに伝送することであって、前記要求は、前記既存の接続を維持することを示す、ことと、
前記選択されたサービングゲートウェイが、セッション作成応答を前記選択されたＰＤＮゲートウェイから受信することであって、前記セッション作成応答は、前記既存の接続に関連して前記ユーザデバイスに以前に割り当てられたネットワークアドレスを含む、ことと、
前記選択されたサービングゲートウェイが、前記セッション作成応答を前記移動性管理エンティティに伝送することと、
前記移動性管理エンティティが、前記セッション作成応答を統合されたスモールセルおよびＷｉＦｉゲートウェイに伝送することと、
前記移動性管理エンティティが、前記統合されたスモールセルおよびＷｉＦｉゲートウェイを介して、前記セルラー通信ネットワークに前記セルラー通信ネットワークと前記サービングゲートウェイとの間に通信経路を確立するための要求を通信することと、
前記セルラー通信ネットワークが、前記統合されたスモールセルおよびＷｉＦｉゲートウェイを介して、前記移動性管理エンティティに応答を通信することと
を含む、コンピュータ実装方法。
（項目２９）
前記無線アクセスネットワークは、信頼されている無線ネットワークである、項目２８に記載のコンピュータ実装方法。
（項目３０）
システムであって、
ユーザデバイスに無線ワイヤレスネットワークへのアクセスを提供するように適合されている信頼されていない無線アクセスネットワークと、
前記信頼されていない無線アクセスネットワークに通信可能に結合されている進化型パケットデータゲートウェイと、
３ＧＰＰアクセスネットワークと通信可能に結合されている統合されたスモールセルおよびＷｉＦｉゲートウェイと、
を備え、
前記統合されたスモールセルおよびＷｉＦｉゲートウェイは、第１の通信インターフェースを介して、前記進化型パケットデータゲートウェイと通信可能に結合され、前記第１の通信インターフェースは、制御プレーンデータおよびユーザプレーンデータを前記統合されたスモールセルおよびＷｉＦｉゲートウェイと前記進化型パケットデータゲートウェイとの間で受信および伝送し、
前記統合されたスモールセルおよびＷｉＦｉゲートウェイは、第２のインターフェースを介して、制御プレーンデータを前記３ＧＰＰアクセスネットワークと通信し、第３のインターフェースを介して、ユーザプレーンデータを前記３ＧＰＰアクセスネットワークと通信し、
前記統合されたスモールセルおよびＷｉＦｉゲートウェイは、第４のインターフェースを介して、制御プレーンデータを移動性管理エンティティサーバと通信し、
前記統合されたスモールセルおよびＷｉＦｉゲートウェイは、パケットデータネットワークと通信可能に結合されている第５のインターフェースを介して、ユーザプレーンデータをサービングゲートウェイと通信する、システム。
【図面の簡単な説明】
【０００７】
前述の概要および以下の例証的実施形態の追加の説明は、添付される図面に関連して熟読されることによって、より深く理解され得る。開示されるシステムおよび方法の潜在的実施形態は、描写されるものに限定されないことを理解されたい。
【図１】図１は、ＴＷＡＮおよび３ＧＰＰ  ＬＴＥアクセスをＰＤＮに提供するための例示的アーキテクチャを描写する。
【図２】図２は、例示的ＨｅＮＢ制御プレーンプロトコルスタックを描写する。
【図３】図３は、例示的ＨｅＮＢユーザプレーンプロトコルスタックを描写する。
【図４】図４は、統合されたＨｅＮＢ／ＬＴＥおよびＴＷＡＮアクセスをＰＤＮに提供するための例示的アーキテクチャを描写する。
【図５】図５は、統合されたスモールセルおよびＷｉＦｉゲートウェイ（ＩＳＷ  ＧＷ）の機能的構成要素を描写する。
【図６】図６は、ＩＳＷ  ＧＷを備えているシステム内の制御プレーンのための例示的プロトコルスタックを描写する。
【図７】図７は、ＩＳＷ  ＧＷを備えているシステム内のユーザプレーンのための例示的プロトコルスタックを描写する。
【図８】図８は、ＵＥが、ＴＷＡＮを介して、ＰＤＮにアタッチすることに関連付けられる、例示的処理を描写する図である。
【図９Ａ】図９Ａ−Ｂは、ＨｅＮＢ／ＬＴＥネットワークからＴＷＡＮへのＩＳＷ  ＧＷ内ハンドオーバーに関連付けられる、例示的処理を描写する図を提示する。
【図９Ｂ】図９Ａ−Ｂは、ＨｅＮＢ／ＬＴＥネットワークからＴＷＡＮへのＩＳＷ  ＧＷ内ハンドオーバーに関連付けられる、例示的処理を描写する図を提示する。
【図１０Ａ】図１０Ａ−Ｂは、ＴＷＡＮを介して、ＰＤＮとＩＳＷ  ＧＷ内マルチ接続通信を確立することに関連付けられる、例示的処理を描写する図を提示する。
【図１０Ｂ】図１０Ａ−Ｂは、ＴＷＡＮを介して、ＰＤＮとＩＳＷ  ＧＷ内マルチ接続通信を確立するステップに関連付けられる、例示的処理を描写する図を提示する。
【図１１Ａ】図１１Ａ−Ｃは、ＴＷＡＮからＨｅＮＢ／ＬＴＥネットワークへの接続のＵＥ開始ＩＳＷ  ＧＷ内ハンドオーバーに関連付けられる、例示的処理の図を提示する。
【図１１Ｂ】図１１Ａ−Ｃは、ＴＷＡＮからＨｅＮＢ／ＬＴＥネットワークへの接続のＵＥ開始ＩＳＷ  ＧＷ内ハンドオーバーに関連付けられる、例示的処理の図を提示する。
【図１１Ｃ】図１１Ａ−Ｃは、ＴＷＡＮからＨｅＮＢ／ＬＴＥネットワークへの接続のＵＥ開始ＩＳＷ  ＧＷ内ハンドオーバーに関連付けられる、例示的処理の図を提示する。
【図１２Ａ】図１２Ａ−Ｃは、ＨｅＮＢを介して、ＰＤＮとＩＳＷ  ＧＷ内マルチ接続通信を確立するステップに関連付けられる、例示的処理を描写する図を提示する。
【図１２Ｂ】図１２Ａ−Ｃは、ＨｅＮＢを介して、ＰＤＮとＩＳＷ  ＧＷ内マルチ接続通信を確立するステップに関連付けられる、例示的処理を描写する図を提示する。
【図１２Ｃ】図１２Ａ−Ｃは、ＨｅＮＢを介して、ＰＤＮとＩＳＷ  ＧＷ内マルチ接続通信を確立するステップに関連付けられる、例示的処理を描写する図を提示する。
【図１３】図１３は、統合されたＨｅＮＢ／ＬＴＥおよびＰＤＮへの信頼されていないＷＬＡＮアクセスを提供するための例示的システムを描写する。
【図１４】図１４は、ＵＥが、信頼されていないＷＬＡＮを介して、ＰＤＮにアタッチすることに関連付けられる、例示的処理を描写する図である。
【図１５Ａ】図１５Ａは、１つ以上の開示される実施形態が実装され得る、例示的ＵＥの系統図である。
【図１５Ｂ】図１５Ｂは、本明細書に説明されるシステムおよび方法を実装するために使用され得る、例示的コンピューティングシステムの系統図である。
【発明を実施するための形態】
【０００８】
出願人は、統合されたスモールセルおよびＷｉＦｉ（ＩＳＷ）ゲートウェイ（ＧＷ）を備えているシステムを開示する。ＩＳＷ  ＧＷは、移動性管理エンティティ（ＭＭＥ）およびサービングゲートウェイ（ＳＧＷ）と統合され、３ＧＰＰアクセスネットワークおよびＴＷＡＮの両方とのインターフェースを有する。ＩＳＷ  ＧＷは、ＬＴＥアクセスネットワークおよびＴＷＡＮの両方のための共通制御ゲートウェイおよび共通ユーザゲートウェイとして動作する。ＩＳＷ  ＧＷは、制御プレーン通信をＬＴＥアクセスネットワークおよびＴＷＡＮの両方から受信し、その通信をＭＭＥに転送する。ＩＳＷ  ＧＷは、ユーザプレーン通信をＬＴＥアクセスネットワークおよびＴＷＡＮの両方から受信し、その通信をＳＧＷに転送する。
【０００９】
ユーザ機器（ＵＥ）は、ＩＳＷ  ＧＷを用いることによって、ＬＴＥアクセスネットワークまたはＴＷＡＮのいずれかを通して、パケットデータネットワーク（ＰＤＮ）の能力にアクセス可能である。ＵＥとＰＤＮとの間の既存の通信接続が、ＬＴＥアクセスネットワークまたはＴＷＡＮのうちの一方から他方にハンドオーバーされ得る。さらに、ＭＭＥおよびＳＧＷは、ＵＥとパケットネットワークとの間に、１つはＬＴＥアクセスネットワークを介し、１つはＴＷＡＮを介する、２つの通信経路を同時に維持することを提供する。
【００１０】
（例示的モバイルネットワーク動作）
現在の実践において、モバイルネットワークオペレータ（ＭＮＯ）は、典型的には、それらのセルラーおよびコアネットワークから「ベストエフォート」のインターネットトラフィックをオフロードするために、Ｗｉ−Ｆｉを採用する。しかしながら、「スモールセル」および「キャリアＷｉ−Ｆｉ」の展開におけるオペレータの関心の高まりは、ＭＮＯが、ローカルのセルラーおよびＷｉ−Ｆｉネットワークを横断するより良好な相互運用性を探求することを促進すると予期される。概して、「スモールセル」は、３ＧＰＰ定義セルラー無線アクセス技術（ＲＡＴ）を使用して、オペレータ認証スペクトルを介して無線ネットワークアクセスを提供する局所的な地理的エリアを指す。
【００１１】
オペレータが、それらのネットワークを最適化し、費用を削減するために「キャリアＷｉ−Ｆｉ」を採用するにつれて、オペレータのモバイルコアネットワーク（ＭＣＮ）と直接インターフェースをとり得る「信頼されている」ＷＬＡＮアクセスネットワーク（ＴＷＡＮ）が、さらに展開されるであろうことが予期される。同様に、高トラフィックである大都市圏のホットスポット場所等の共通地理的エリア内におけるＭＮＯが展開したスモールセルとＷｉ−Ｆｉアクセスネットワークとのさらなる統合があるであろうことも予期される。そのような統合は、セルラーおよびＷｉ−Ｆｉアクセスの両方をサポートするスマートフォンの数の増加によって動機付けられる。
【００１２】
この文脈において、用語「信頼されているＷＬＡＮ（ＴＷＡＮ）アクセス」は、ＷＬＡＮを介したアクセスからＥＰＣを保護するための適切な手段が講じられている状況を指す。そのような手段は、ＭＮＯの裁量に委ねられ、例えば、ＷＬＡＮとＥＰＣとの間の耐タンパー性ファイバ接続の確立、またはＷＬＡＮとＥＰＣエッジにおけるセキュリティゲートウェイとの間のＩＰＳｅｃセキュリティアソシエーションの確立を含み得る。対照的に、ＷＬＡＮアクセスが「信頼されていない」と見なされる場合、ＷＬＡＮは、ＥＰＣエッジにおいて進化型パケットデータゲートウェイ（ｅＰＤＧ）とインターフェースをとり、ｅＰＤＧは、ＷＬＡＮを通してＥＰＣにアクセスする各ＵＥとの直接のＩＰＳｅｃセキュリティアソシエーションを確立しなければならない。
【００１３】
（ＷＬＡＮアクセスに関連する３ＧＰＰ活動）
ＧＰＲＳトンネリングプロトコル（ＧＴＰ）は、３ＧＰＰネットワークにおけるパケットデータに関する標準トランスポートプロトコルである。異なるタイプの非３ＧＰＰネットワーク（例えば、ＷＬＡＮ、ＷｉＭＡＸ、ＣＤＭＡ２０００）とのインターワーキングの観点から、ＩＥＴＦプロキシモバイルＩＰ（ＰＭＩＰ）プロトコルも、一般的なソリューションとして規格化されている。ＷＬＡＮアクセスネットワークに関して、特に、ＧＴＰプロトコルを使用する３ＧＰＰアクセスのための規格化プロシージャを対象とした活動が、存在している。活動は、高価なセルラースペクトルの代わりに、より低コストの非ライセンス８０２．１１スペクトルを介して、加入者がＭＮＯのコアネットワークにアクセスすることを可能にすることが意図された。ジェネリックアクセスネットワーク（ＧＡＮ）、Ｉ−ＷＬＡＮ、および信頼されていないＷＬＡＮのオペレータ採用は非常に限定されているが、信頼されているＷＬＡＮへの関心は、特に、ＧＴＰベースのオプションに関して、活発になっていると考えられる。
【００１４】
「ＥＰＣへのＧＴＰおよびＷＬＡＮアクセスに基づくＳ２ａ移動性」（ＳａＭＯＧ）のための３ＧＰＰ  Ｒｅｌｅａｓｅ  １１  ＳＡ２ワークアイテムは、「信頼されているＷＬＡＮアクセスネットワーク」（ＴＷＡＮ）のためのＰＤＮゲートウェイ（ＰＧＷ）へのＧＴＰベースのＳ２ａインターフェースを可能にすることに焦点を当てた。このアイテムは、ＵＥに影響を及ぼすであろういずれのソリューションも除外した。信頼されているＷＬＡＮアクセスを経由するＧＴＰベースのＳ２ａのためのＲｅｌｅａｓｅ  １１のアーキテクチャ、機能説明、およびプロシージャは、続けて規格化された。トンネル管理に適用可能なＧＴＰ制御プレーンプロトコル（ＧＴＰｖ２−Ｃ）およびＧＴＰユーザプレーンも、規格化されている。ＳａＭＯＧは、いくつかのＲｅｌｅａｓｅ  １１限界に対処するためのＲｅｌｅａｓｅ  １２検討事項として拡張されており、ＵＥ開始ＰＤＮ接続、マルチＰＤＮ接続、およびシームレスなシステム間ハンドオーバーのためのＴＷＡＮソリューションを含むであろう。
【００１５】
３ＧＰＰ  Ｒｅｌｅａｓｅ  １０は、ＥＰＣへの信頼されていないＷＬＡＮアクセスのためのＧＴＰベースのＳ２ｂインターフェースを規格化した。これは、進化型パケットデータゲートウェイ（ｅＰＤＧ）とＰＧＷとの間のＧＴＰベースのＳ２ｂインターフェースのために関連付けられたサポートを含んだ。信頼されていないＷＬＡＮソリューションは、各ＵＥとのＩＰＳｅｃトンネルを確立するために、ＩＰＳｅｃのためのＵＥサポートならびにｅＰＤＧのＥＰＣサポートを要求し得る。
【００１６】
３ＧＰＰ  Ｒｅｌｅａｓｅ  ６は、ＷＬＡＮアクセスのためのパケットデータゲートウェイ（ＰＤＧ）を「ｐｒｅ−ＥＰＣ」パケット交換コアネットワークに導入することによって、規格化されたＷＬＡＮインターワーキング（Ｉ−ＷＬＡＮ）ソリューションを提供した。このリリースは、加えて、ＧＧＳＮに向けてＧＴＰを使用する「トンネル終端ゲートウェイ」（ＴＴＧ）を介して、Ｇｎインターフェース（Ｇｎ’と表される）の一部を使用してＰＤＧ機能性を実装するために、既存のＧＧＳＮ展開を再使用する方法を説明した。再び、これらのソリューションは、ＵＥとのＩＰＳｅｃトンネルを確立するために、ＩＰＳｅｃのためのＵＥサポートならびにＰＤＧ／ＴＴＧサポートを要求し得る。
【００１７】
３ＧＰＰ  Ｒｅｌｅａｓｅ  ６は、２Ｇ／Ｗｉ−Ｆｉデュアルモードハンドセットのためのジェネリックアクセスネットワーク（ＧＡＮ）サポートも規格化した。Ｒｅｌｅａｓｅ  ８は、３Ｇ／Ｗｉ−Ｆｉハンドセットのためのサポートを追加した。非ライセンスモバイルアクセス（ＵＭＡ）は、Ｗｉ−Ｆｉを介したＧＡＮアクセスに対して携帯電話通信業者によって使用される商品名である。ＧＡＮ対応ＵＥは、Ｗｉ−Ｆｉを使用し、それ自身を２Ｇ  ＢＳＣまたは３Ｇ  ＲＮＣとしてコアネットワークに提示する「ＧＡＮコントローラ」（ＧＡＮＣ）とインターフェースをとることができる。ＧＡＮＣは、ＭＳＣへの回路交換（ＣＳ）インターフェース、ＳＧＳＮへのパケット交換（ＰＳ）インターフェース、およびＡＡＡサーバ／プロキシへのＤｉａｍｅｔｅｒ  ＥＡＰインターフェースを提供する。それは、ＵＥからのＩＰＳｅｃトンネルを終端させるセキュリティゲートウェイ（ＳｅＧＷ）も含む。以下の表１は、ＧＴＰベースのＷＬＡＮの各ソリューションに対する基本要件を例証する。
【００１８】
【表１】
0006470392.tif 000002
上記の活動の各々は、高価なセルラー基地局の代わりに、より低コストの非ライセンス８０２．１１アクセスポイントを介して、加入者がオペレータのモバイルコアネットワークにアクセスすることを可能にすることが意図された。ＧＡＮ、Ｉ−ＷＬＡＮ、および信頼されていないＷＬＡＮのオペレータ採用は非常に限定されているが、信頼されているＷＬＡＮへの関心は、高まっている。
【００１９】
（ＥＰＣへのセルラーＬＴＥおよびＴＷＡＮアクセスのための既存のアーキテクチャ）
図１は、ＥＰＣ１１４へのセルラーＬＴＥおよび信頼されているＷＬＡＮアクセスを提供する、既存の３ＧＰＰアーキテクチャを描写する。３ＧＰＰ技術仕様書（ＴＳ）２３．４０２の第１６．１．１節（その内容は、その全体として本明細書に参照することによって本明細書に組み込まれる）に説明されるように、オペレータによってＷＬＡＮ１１０が信頼されていると見なされると、信頼されているＷＬＡＮアクセスネットワーク（ＴＷＡＮ）１１２は、認証、承認、および課金のための３ＧＰＰ  ＡＡＡサーバ１１８に向かうＳＴａインターフェース１１６を介して、ユーザプレーントラフィックフローのためのＰＤＮゲートウェイ（ＰＧＷ）１２２に向かうＳ２ａインターフェース１２０を介して、進化型パケットコア（ＥＰＣ）１１４に接続されることができる。ＴＷＡＮからローカルＩＰネットワークおよび／または直接インターネットへの代替経路も、示される。
【００２０】
３ＧＰＰ  ＬＴＥアクセスネットワーク１３０（すなわち、進化型ノードＢ）は、移動性管理エンティティ（ＭＭＥ）１３４との通信経路を提供するＳ１−ＭＭＥインターフェース１３２を介してＥＰＣ１１４に接続される。Ｓ１−Ｕインターフェース１３６は、サービングゲートウェイ（ＳＧＷ）１３８との通信経路を提供し、ＳＧＷ１３８は、Ｓ５インターフェース１４０を介してＰＤＮゲートウェイ（ＰＧＷ）１２２とインターフェースをとる。
【００２１】
随意の「ローカルゲートウェイ」機能（Ｌ−ＧＷ）１５０が、例えば、Ｈｏｍｅ  ｅＮＢ（ＨｅＮＢ）展開のために、スモールセルＬＴＥアクセスを提供する。同様に、随意の「ＨｅＮＢゲートウェイ」（ＨｅＮＢ  ＧＷ）１５２が、複数のＨｅＮＢのために制御プレーン信号通信をＭＭＥ１３４に向けて集約させるために使用され得、それは、ＳＧＷ１３８に向けてＨｅＮＢユーザプレーントラフィックを処理するためにも使用され得る。随意のＨｅＮＢ管理システム（ＨｅＭＳ）１５５は、ブロードバンドフォーラム（ＢＢＦ）によって発表され、３ＧＰＰによって採用されたＴＲ−０６９規格に基づいて、ＨｅＮＢの「プラグアンドプレイ」自動構成を提供する。随意のセキュリティゲートウェイ（ＳｅＧＷ）１５７は、ＨｅＮＢ１５２を介するＥＰＣへの信頼されているアクセスを提供する。
【００２２】
（Ｈｏｍｅ  ｅＮｏｄｅＢ（ＨｅＮＢ））
３ＧＰＰは、ＬＴＥフェムトセルをＨｏｍｅ  ｅＮｏｄｅＢ（ＨｅＮＢ）と呼ぶ。ＨｅＮＢは、経験のある技術者の必要なく、居住および企業環境にインストールされることができる「プラグアンドプレイ」カスタマ構内設備（ＣＰＥ）として設計されている。ＨｅＮＢは、「ホットスポット」場所を含む、公共施設にも展開され得る。ＨｅＮＢは、自動構成のために、遠隔ＨｅＮＢ管理システム（ＨｅＭＳ）にアクセスするためにブロードバンドインターネット接続を使用する一方、セルラーパケットデータサービスのために、ＥＰＣネットワークへのバックホールアクセスも提供する。
【００２３】
ＨｅＮＢは、クローズド、オープン、またはハイブリッドモードのいずれかで動作する。クローズドＨｅＮＢは、関連付けられた限定加入者グループ（ＣＳＧ）の一部であるＵＥへのアクセスのみを可能にする。オープンＨｅＮＢは、全加入者へのアクセスを可能にする。ハイブリッドＨｅＮＢは、関連付けられたＣＳＧ加入者のための優遇措置を提供するが、リソース可用性に基づいて、他の加入者へのアクセスも可能にする（おそらくＱｏＳの低下を伴う）。
【００２４】
一般に、ＨｅＮＢとｅＮＢとの間の主な区別のうちの１つは、ＴＲ−０６９ベースのＨｅＭＳを使用した「自動構成」特徴である。ＨｅＮＢは、インターネットへのブロードバンド接続を伴って電源投入されると、事前にプログラムされた「完全に指定されたドメイン名」（ＦＱＤＮ）を使用したＤＮＳルックアップに基づいて、ＨｅＭＳにアクセスする。そこから、ＨｅＮＢは、使用されるべきセキュリティゲートウェイ（ＳｅＧＷ）と、随意に、使用されるべきＨｅＮＢゲートウェイ（ＨｅＮＢ  ＧＷ）とに対する情報を含む全てのその構成データを受信する。
【００２５】
「スモールセル」ｅＮＢの他の特性は、ＨｅＮＢと同様であり得るが（例えば、機器コストの削減、短距離／低電力動作、ＳｅＧＷを介したセキュアなＥＰＣアクセス、ＣＳＧ制限、単一／全セクタサービスエリア等）、ＨｅＭＳの使用およびＨｅＮＢ  ＧＷへの潜在的接続は、ＨｅＮＢをｅＮＢから区別する。
【００２６】
（信頼されているＷＬＡＮアクセスネットワーク（ＴＷＡＮ））
ＷＬＡＮアクセスネットワーク（ＷＬＡＮ  ＡＮ）１１０は、１つ以上のＷＬＡＮアクセスポイント（ＡＰ）を備えている。ＡＰは、ＳＷｗインターフェース１５６を介したＵＥのＷＬＡＮ  ＩＥＥＥ８０２．１１リンクを終端させる。ＡＰは、独立型ＡＰとして、または、例えば、ＩＥＴＦ  ＣＡＰＷＡＰプロトコルを使用して、無線ＬＡＮコントローラ（ＷＬＣ）に接続される「シン」ＡＰとして展開され得る。
【００２７】
信頼されているＷＬＡＮアクセスゲートウェイ（ＴＷＡＧ）１６０は、ＰＧＷ１２２とのＧＴＰベースのＳ２ａインターフェース１２０を終端させ、そのＷＬＡＮアクセスリンク上のＵＥ１６２のためのデフォルトのＩＰルータとしての役割を果たし得る。それは、ＵＥ１６２のためのＤＨＣＰサーバとしての役割も果たし得る。ＴＷＡＧ１６０は、典型的には、（ＷＬＡＮ  ＡＰを介した）ＵＥ１６２と（ＰＧＷを介した）関連付けられたＳ２ａ  １２０  ＧＴＰ−Ｕトンネルとの間でパケットを転送するためのＵＥ  ＭＡＣアドレス関連付けを維持する。
【００２８】
信頼されているＷＬＡＮ  ＡＡＡプロキシ（ＴＷＡＰ）１６４は、３ＧＰＰ  ＡＡＡサーバ１１８とのＤｉａｍｅｔｅｒベースのＳＴａインターフェース１１６を終端させる。ＴＷＡＰ１６４は、ＷＬＡＮ  ＡＮ１１０と３ＧＰＰ  ＡＡＡサーバ１１８（またはローミングの場合はプロキシ）との間でＡＡＡ情報を中継する。ＴＷＡＰ１６４は、レイヤ２のアタッチおよびデタッチイベントの発生をＴＷＡＧ１６０に知らせることができる。ＴＷＡＰ１６４は、ＵＥ加入データ（ＩＭＳＩを含む）とＵＥ  ＭＡＣアドレスとのバインディングを確立し、そのような情報をＴＷＡＧ１６０に提供することができる。
【００２９】
（既存のシステムにおけるＴＷＡＮを経由する認証およびセキュリティ）
既存のシステムにおいて、ＵＥ１６２は、３ＧＰＰおよび非３ＧＰＰ  ＷＬＡＮアクセスの両方のためのＵＳＩＭ特徴を活用することができる。認証およびセキュリティのための処理は、３ＧＰＰ  ＴＳ２３．４０２の第４．９．１節（その内容は、参照することによってその全体として本明細書に組み込まれる）に説明される。その中で説明されるように、ＷＬＡＮを介して起こるもの等の非３ＧＰＰアクセス認証は、アクセス制御のために使用されるプロセスを定義し、それによって、加入者が、ＥＰＣネットワークとインターワークされる非３ＧＰＰ  ＩＰアクセスのリソースにアタッチし、それを使用することを許可または拒否する。非３ＧＰＰアクセス認証信号通信は、ＵＥと３ＧＰＰ  ＡＡＡサーバ１１８とＨＳＳ１７０との間で実行される。認証信号通信は、ＡＡＡプロキシを通過し得る。
【００３０】
信頼されている３ＧＰＰベースのアクセス認証は、ＳＴａ参照ポイント１１６を横断して実行される。３ＧＰＰベースのアクセス認証信号通信は、ＩＥＴＦプロトコル、例えば、拡張可能認証プロトコル（ＥＡＰ）に基づく。ＳＴａインターフェース１１６およびＤｉａｍｅｔｅｒアプリケーションは、信頼されている非３ＧＰＰアクセスを介するＥＰＣアクセスのためにＵＥ１６２を認証および承認するために使用される。３ＧＰＰ  ＴＳ２９．２７３（その内容は、参照することによってその全体として本明細書に組み込まれる）は、ＳＴａインターフェース上で現在サポートされている標準ＴＷＡＮプロシージャを説明する。
【００３１】
（既存のシステムにおけるＴＷＡＮを経由するＩＰアドレス割り当て）
新しいＰＤＮ接続がＴＷＡＮ１１２を経由してＥＰＣ１１４と確立されると、ＧＴＰベースのＴＷＡＮを介したＥＰＣアクセスのために、ＩＰｖ４アドレスおよび／またはＩＰｖ６プレフィックスがＵＥ１６２に割り当てられる。別個のＩＰアドレスも、ローカルネットワークトラフィックおよび／または直接のインターネットオフロードのためにＴＷＡＮ１１２によって割り当てられ得る。
【００３２】
ＴＷＡＮ１１２を介するＥＰＣ１１４を通したＰＤＮ接続のために、ＴＷＡＮ１１２は、ＥＡＰ／ＤｉａｍｅｔｅｒまたはＷＬＣＰ信号通信を介して関連ＰＤＮ情報を受信する。ＴＷＡＮ１１２は、ＧＴＰセッション作成要求を介して、ＵＥ１６２のためのＩＰｖ４アドレスをＰＧＷ１２２から要求し得る。ＩＰｖ４アドレスは、ＧＴＰセッション作成応答を介して、ＧＴＰトンネル確立中にＴＷＡＮ１１２に送達される。ＵＥ１６２がＤＨＣＰｖ４を介してＰＤＮ接続のためのＩＰｖ４アドレスを要求すると、ＴＷＡＮ１１２は、受信されたＩＰｖ４アドレスをＤＨＣＰｖ４信号通信内でＵＥ１６２に送達する。ＩＰｖ６に対して、対応するプロシージャも、定義される。
【００３３】
（ＬＴＥを介したアクセスに関する既存のプロシージャ）
３ＧＰＰ  ＬＴＥアクセスのために、ＵＥ１６２は、ＥＰＣネットワーク１１４へのその最初のアタッチメントの一部として、ＰＤＮ接続を自動的にトリガする。ＵＥ１６２は、続けて、必要に応じて、追加のＰＤＮ接続を確立し得る。
【００３４】
アタッチプロシージャの主要な目的は、ＵＥ１６２が、加入しているサービスを受信するために、ネットワークに登録することである。アタッチプロシージャは、ユーザの識別を確認し、受信することが許可されているサービスを識別し、セキュリティパラメータを確立し（例えば、データ暗号化のために）、ネットワークにＵＥの初期場所を通知する（例えば、ページングされる必要がある場合）。さらに、今日のユーザによって期待される「常時オン」ネットワーク接続をサポートするために、ＬＴＥ規格は、アタッチプロシージャの一部として、デフォルトＰＤＮ接続の確立を規定する。このデフォルト接続のための無線リソースは、無活動の期間中、解放されるが、しかしながら、接続の残りは、そのままであり、エンドツーエンド接続は、ＵＥサービス要求に応答して無線リソースを再度割り当てることによって、迅速に再確立されることができる。
【００３５】
ＵＥ１６２が、（Ｈ）ｅＮＢ  ＬＴＥアクセスネットワーク１３０を介してＥＰＣ１１４へのアタッチを試みる場合、ＵＥ１６２は、最初に、（Ｈ）ｅＮＢ  ＬＴＥアクセスネットワーク１３０とのＲＲＣ接続を確立し、ＲＲＣ信号通信内にアタッチ要求をカプセル化する。（Ｈ）ｅＮＢ  ＬＴＥアクセスネットワーク１３０は、次いで、Ｓ１−ＭＭＥインターフェース１３２上のＳ１−ＡＰ信号通信を介して、ＭＭＥ１３４にアタッチ要求を転送する。ＭＭＥ１３４は、Ｓ６ａインターフェース１７２を介してＨＳＳ１７０から加入情報を読み出し、ＵＥ１６２を認証し、ＥＰＣ１１４へのアタッチメントを可能にする。
【００３６】
ＵＥ１６２を正常に認証した後、ＭＭＥ１３４は、（例えば、（Ｈ）ｅＮＢ  ＬＴＥアクセスネットワーク１３０への接さに基づいて）ＳＧＷ１３８を選択し、（例えば、ＨＳＳ１７０から読み出されたデフォルトのＡＰＮまたはＵＥ１６２によって要求された特定のＡＰＮに基づいて）ＰＧＷ１２２も選択する。ＭＭＥ１３４は、Ｓ１１インターフェース１７４を経由して、ＳＧＷ１３８と通信し、ＰＤＮ接続の作成を要求する。ＳＧＷ１３８は、信号通信を実行し、Ｓ５インターフェース１４０を経由して、指定されたＰＧＷ１２２とのＧＴＰユーザプレーントンネルを確立する。
【００３７】
「ＧＴＰ制御」信号通信は、ＭＭＥ１３４と（Ｈ）ｅＮＢ１３０との間のＳ１−ＡＰプロトコル内で起きる。これは、最終的に、（Ｈ）ｅＮＢ１３０とＳＧＷ１３８との間のＳ１−Ｕインターフェース１３６上のＧＴＰユーザプレーントンネルの確立につながる。ＵＥ１６２とＰＧＷ１２２との間のＰＤＮ接続のための経路は、したがって、（Ｈ）ｅＮＢ１３０およびＳＧＷ１３８を通して完成する。
【００３８】
（ＴＷＡＮを介したＥＰＣアクセスのための既存のプロシージャ）
ＴＷＡＮ１１２を介して通信が起こる既存のシステムにおいて、ＵＥ１６２認証およびＥＰＣ１１４アタッチメントは、ＵＥ１６２と３ＧＰＰ  ＡＡＡサーバ１１８との間のＥＡＰ信号通信を介して遂行される。
【００３９】
ＰＤＮ接続サービスは、ＵＥ１６２とＴＷＡＮ１１２との間のポイントツーポイント接続によって提供され、そのポイントツーポイント接続は、ＴＷＡＮ１１２とＰＧＷ１２２との間のＳ２ａベアラ１２０と連結される。ＬＴＥモデルと異なり、ＷＬＡＮ無線リソースは、ＥＰＣの観点から、「常時オン」である。言い換えると、任意の電力節約最適化が、ＷＬＡＮ内でＩＥＥＥ８０２．１１プロシージャを使用して、透過的にハンドリングされる。
【００４０】
ＵＥ１６２がＴＷＡＮ１１２を介してＥＰＣ１１４にアタッチを試みる場合、ＵＥ１６２は、最初に、ＷＬＡＮ１１０とのレイヤ２接続を確立し、ＥＡＰｏＬ信号通信内にＥＡＰメッセージをカプセル化する。ＷＬＡＮ１１０は、ＥＡＰメッセージをＴＷＡＰ１６４に転送し、ＴＷＡＰ１６４は、Ｄｉａｍｅｔｅｒ信号通信内にメッセージをカプセル化し、ＳＴａインターフェース１１６を介して３ＧＰＰ  ＡＡＡサーバ１１８にメッセージを転送する。３ＧＰＰ  ＡＡＡサーバ１１８は、ＳＷｘインターフェース１８０を介してＨＳＳ１７０から加入情報を読み出し、ＵＥ１６２を認証し、ＥＰＣ１１４へのアタッチメントを可能にする。
【００４１】
３ＧＰＰ  Ｒｅｌｅａｓｅ  １１に対して、３ＧＰＰ  ＡＡＡサーバ１１８はまた、ＨＳＳ１７０にプロビジョニングされたデフォルトのＰＤＮへのＰＤＮ接続を確立するための情報をＳＴａインターフェース１１６を介してＴＷＡＮ１１２に提供する。ＴＷＡＮ１１２は、次いで、直接ＰＧＷ１２２に向けて、Ｓ２ａインターフェース１２０を経由して、ＧＴＰ制御プレーン（ＧＴＰ−Ｃ）およびユーザプレーン（ＧＴＰ−Ｕ）プロトコルを実行し、それによって、ＴＷＡＮ１１２を通したＵＥ１６２とＰＧＷ１２２との間のＰＤＮ接続を完成する。
【００４２】
３ＧＰＰ  Ｒｅｌｅａｓｅ  １２に対して、ＳａＭＯＧフェーズ２ワークアイテムは、ＵＥ開始ＰＤＮ接続、マルチＰＤＮ接続、およびシームレスなシステム間ハンドオーバーのための追加のプロシージャを定義する。単一ＰＤＮ対応ＴＷＡＮシナリオの場合に対して、ＥＡＰ拡張が、ＵＥ開始ＰＤＮ要求およびシームレスなシステム間ハンドオーバー要求をサポートするために定義される。マルチＰＤＮ対応ＴＷＡＮシナリオの場合に対して、ＷＬＡＮ制御プロトコル（ＷＬＣＰ）が、ＵＥとＴＷＡＮとの間に定義され、１つ以上のＵＥ  ＰＤＮ接続要求およびシームレスなハンドオーバプロシージャを可能にする。しかしながら、別個のプロシージャが、ＵＥ認証のために、ＵＥと３ＧＰＰ  ＡＡＡサーバとの間で依然として利用される。
【００４３】
（ＨｅＮＢゲートウェイ（ＮｅＮＢＧＷ）のための既存のプロシージャ）
３ＧＰＰ  ＴＳ３６．３００の第４．６節（その内容は、参照することによってその全体として本明細書に組み込まれる）は、ＨｅＮＢおよびＨｅＮＢ  ＧＷによってサポートされるべきＳｔａｇｅ２のアーキテクチャ、機能、およびインターフェースを説明する。その中に説明されるように、Ｅ−ＵＴＲＡＮアーキテクチャは、ＨｅＮＢとＥＰＣとの間のＳ１インターフェースが多数のＨｅＮＢをスケーラブルな様式でサポートすることを可能にするために、Ｈｏｍｅ  ｅＮＢゲートウェイ（ＨｅＮＢ  ＧＷ）を展開し得る。ＨｅＮＢ  ＧＷは、Ｃ−プレーン、具体的には、Ｓ１−ＭＭＥインターフェースのためのコンセントレータとしての役割を果たす。ＨｅＮＢ  ＧＷは、ＭＭＥにｅＮＢのように見える。ＨｅＮＢ  ＧＷは、ＨｅＮＢにＭＭＥのように見える。
【００４４】
ＵＥアタッチメントにおけるＭＭＥの選択は、ＨｅＮＢの代わりに、ＨｅＮＢ  ＧＷによってホストされる。ＨｅＮＢ  ＧＷは、制御プレーンデータをＨｅＮＢとＭＭＥとの間で中継する。ＨｅＮＢ  ＧＷは、ＨｅＮＢおよびＭＭＥの両方との非ＵＥ専用プロシージャを終端させる。非ＵＥ専用プロシージャに関連付けられた任意のプロトコル機能の範囲は、ＨｅＮＢとＨｅＮＢ  ＧＷとの間および／またはＨｅＮＢ  ＧＷとＭＭＥとの間である。ＵＥ専用プロシージャに関連付けられた任意のプロトコル機能は、ＨｅＮＢおよびＭＭＥ内のみに常駐する。ＨｅＮＢ  ＧＷは、随意に、ＨｅＮＢに向かうユーザプレーンとＳ−ＧＷに向かうユーザプレーンとを終端させ、ユーザプレーンデータをＨｅＮＢとＳ−ＧＷとの間で中継し得る。
【００４５】
図２は、既存のシステムにおける制御プレーンのためのＨｅＮＢ  ＧＷプロトコルスタックを描写する。示されるように、既存の方法に従って、ＨｅＮＢ  ＧＷは、Ｓ１−ＭＭＥインターフェースを経由して、ＨｅＮＢおよびＭＭＥとインターフェースをとる。Ｓ１−ＭＭＥインターフェースにおける制御プレーン集約は、ＭＭＥへのＳＣＴＰ接続の数を最小化するために有用である。これは、ＭＭＥ上のスケーリング／ローディングを改良する。例えば、依然として、ＨｅＮＢ  ＧＷと異なるＨｅＮＢとの間の複数の信号通信ストリームをサポートしながら、ＨｅＮＢ  ＧＷとＭＭＥとの間に１つのＳＣＴＰ／ＩＰアソシエーションを有することが可能である。
【００４６】
図３は、既存のシステムにおけるユーザプレーンのためのＨｅＮＢ  ＧＷプロトコルスタックを描写する。示されるように、既存の方法に従って、ＨｅＮＢ  ＧＷは、Ｓ１−Ｕインターフェースを経由して、ＨｅＮＢおよびＳ−ＧＷとインターフェースをとる。ＨｅＮＢ  ＧＷにおけるユーザプレーン終端により、複数のＧＴＰトンネルを依然としてサポートしながら、ＳＧＷとＨｅＮＢ  ＧＷとの間のＵＤＰ／ＩＰ経路の数を減少させることによって、ユーザプレーン集約が実施されることができる。異なるＧＴＰトンネルは、それらのＴＥＩＤによって区別可能である。
【００４７】
（統合されたスモールセルおよびＷｉＦｉゲートウェイを介したシステム間ハンドオーバーおよびマルチ接続）
上での説明が例証するように、現在の実践において、セルラーネットワークおよびＷｉ−Ｆｉインターワーキングが、ＰＧＷにおいて生じる。これは、既存のマクロセル展開とともに、ＷｉＦｉホットスポットをＥＰＣコアの中にインターワーキングさせるための悪影響が最も小さいソリューションと見られていた。マクロセルサービスエリアは、典型的には、遍在的と見なされていた一方、機に便乗したＷｉＦｉホットスポットの可用性は、断続的であった。そのようなインターワーキングは、典型的には、ＥＰＣのコア内のデバイスによるアクセスおよび制御を要求するので、緩慢である。さらに、ネットワークのコアにおける処理に依存する通信は、通信がネットワークコアにおよびそれから進行する場合、増加した途絶する機会を有している。既存のモデルは、近い将来に予期される多数のスモールセルおよび「信頼されている」ＷＬＡＮ展開に良好に対応しない。
【００４８】
多くの共同設置されるスモールセルおよびＷｉ−Ｆｉのアクセスポイントの予測される展開を想定すると、出願人は、スモールセルおよびＷｉ−Ｆｉのアクセスポイントの近くにいくつかのインターワーキング機能性を標準化することが有益であろうことを指摘している。いくつかの移動性およびマルチアクセスシナリオでは、そのような能力は、アクセス技術にわたるユーザプレーン切り替え遅延を低減させ、ＭＣＮを通したＰＧＷへの信号通信量を最小化し得る。
【００４９】
Ｈｏｍｅ  ｅＮｏｄｅＢゲートウェイ（ＨｅＮＢ  ＧＷ）は、現在、複数のＨｅＮＢからＥＰＣ（ＭＭＥ）に向けた信号通信集約（ＳＣＴＰ／ＩＰ）をサポートする。加えて、それらは、随意に、ＥＰＣ（ＳＧＷ）に向けたパケット中継機能性を提供しながら、ユーザプレーン集約（ＵＤＰ／ＩＰ）をサポートし得る。ＨｅＮＢ  ＧＷ規格は、Ｗｉ−Ｆｉアクセスポイントとの相互作用をサポートしない。ＨｅＮＢ  ＧＷは、セルラーＲＡＴから生じる信号通信を集約することが可能であるが、Ｗｉ−Ｆｉ  ＲＡＴからのものは集約することができない。
【００５０】
出願人は、本明細書において、統合された無線ネットワークにおけるシステム間移動性のための改良されたシステムおよび方法を開示する。より具体的には、出願人は、統合されたスモールセルおよびＷｉＦｉ（ＩＳＷ）ゲートウェイ（ＧＷ）を備えている、システムを開示する。ＩＳＷ  ＧＷは、移動性管理エンティティ（ＭＭＥ）およびサービングゲートウェイ（ＳＧＷ）と統合され、３ＧＰＰアクセスネットワークおよびＴＷＡＮの両方とのインターフェースを有する。ＩＳＷ  ＧＷは、ＬＴＥネットワークおよびＴＷＡＮの両方のための共通制御ゲートウェイおよび共通ユーザゲートウェイとして動作する。ユーザ機器（ＵＥ）は、ＩＳＷ  ＧＷを用いることによって、ＬＴＥネットワークまたはＴＷＡＮのいずれかを通して、パケットデータネットワーク（ＰＤＮ）の能力にアクセスすることが可能である。さらに、ＩＳＷ  ＧＷは、ＬＴＥネットワークまたはＴＷＡＮのうちの一方から他方にハンドオーバーされるべきＵＥとＰＤＮとの間の既存の通信接続を提供する。なおさらに、ＩＳＷ  ＧＷは、一方は、ＬＴＥネットワークを介して、一方は、ＴＷＡＮを介して、ＵＥとパケットネットワークとの間の２つの通信経路を同時に維持することをサポートする。
【００５１】
（統合されたＷＬＡＮおよびＬＴＥネットワークにおけるシステム間移動性のためのアーキテクチャ）
図４は、統合されたＷＬＡＮおよびＨｅＮＢ／ＬＴＥネットワークにおけるシステム間移動性を提供するための改良されたシステムの例示的実施形態を描写する。示されるように、例示的実施形態では、システムは、統合されたスモールセルおよびＷｉＦｉ（ＩＳＷ）ゲートウェイ（ＧＷ）２９０を備えている。ＩＳＷ  ＧＷ２９０は、ＥＰＣ２１４のＰＤＮへのＨｅＮＢ２３０およびＷＬＡＮ２１０両方のアクセスのために、共通の制御プレーンおよびユーザプレーンを提供する。
【００５２】
新しいインターフェース「Ｓ１ａ」２９２は、ＴＷＡＮ２１２とＩＳＷ  ＧＷ２９０との間の制御プレーンおよびユーザプレーン通信の両方をサポートする。図４の例示的実施形態では、インターフェースＳ１ａは、ＴＷＡＮ２１２のＷＬＡＮ  ＡＮ２１０で終端する。Ｓ２ａインターフェース２２０は、ＵＥ２６２がＩＳＷ  ＧＷを介して接続されない場合等、旧来の展開をサポートするために使用され得る。
【００５３】
ＩＳＷ  ＧＷ２９０は、制御プレーンインターフェースＳ１−ＭＭＥ２３２およびユーザプレーンインターフェースＳ１−Ｕ２３６を経由して、ＨｅＮＢネットワーク２３０とインターフェースをとる。例示的実施形態では、ＩＳＷ  ＧＷ２９０は、従来、ＨｅＮＢ  ＧＷ１５２（図１）によって提供されている機能性を組み込むことを理解されたい。ＩＳＷ  ＧＷ２９０は、従来、ＳｅＧＷ１５７およびＨｅＭＳ１５５（図１）によって提供されている機能性をさらに提供し得る。
【００５４】
ＩＳＷ  ＧＷ２９０は、ＳＷ−ＭＭＥ’制御プレーンインターフェース２３５を経由して、ＭＭＥ２３４とインターフェースをとり、Ｓ１−Ｕ’ユーザプレーンインターフェース２３７を経由して、ＳＧＷ２３８と通信する。制御プレーンインターフェースＳＷ−ＭＭＥ’２３５は、実質的に、従来のＳＷ−ＭＭＥインターフェースとして動作するが、本明細書に説明されるような処理に対応するように拡張されている。ＭＭＥ２３４は、ＩＳＷ  ＧＷ２９０を介するＨｅＮＢ／ＷＬＡＮとＳＧＷ２３８との間のＧＴＰ−Ｕトンネルの設定を制御する。ＭＭＥ２３４は、ローカル条件およびポリシーに基づいて、いずれかのアクセス（ＨｅＮＢまたはＷＬＡＮ）を横断する単一のＰＤＮへ／からのＩＳＷ  ＧＷ２９０内の「ＩＰフロー」移動性を制御する。
【００５５】
ユーザプレーンインターフェースＳ１−Ｕ’２３７は、実質的に、従来のＳ１−Ｕインターフェースとして動作するが、本明細書に説明されるような処理に対応するように拡張されている。ＳＧＷ２３８は、ＨｅＮＢおよびＷＬＡＮアクセスの両方に関連するＧＴＰ−Ｕデータを処理するが、ＳＧＷ２３８は、必ずしも、ＷＬＡＮベースのＧＴＰパケットを搬送していることを認識しないこともある。
【００５６】
示されるように、ＩＳＷ  ＧＷ２９０は、インターワーキング機能（ＩＷＦ）２９１を備えている。ＩＷＦ２９１は、図５に関連して以下に説明されるように、トラフィック管理を提供し、データをＴＷＡＮ２１２、ＨｅＮＢ２３０、ＭＭＥ２３４、およびＳＧＷ２３８間でルーティングするように適合される。
【００５７】
Ｓ１ａ、Ｓ１−ＭＭＥ、Ｓ１−ＭＭＥ’、Ｓ１−Ｕ、およびＳ１−Ｕ’インターフェースが整うと、ＩＳＷ  ＧＷ２９０は、ＨｅＮＢ／ＬＴＥネットワーク２３０およびＴＷＡＮ２１２アクセスの両方のための共通制御プレーンエンティティおよびユーザプレーンエンティティとして動作する。ＩＳＷ  ＧＷ２９０は、ＨｅＮＢ／ＬＴＥアクセスネットワーク２３０およびＴＷＡＮ２１２アクセスのための共通制御プレーンサービスを提供するために、ＭＭＥ２３４に依拠し、ＨｅＮＢ／ＬＴＥアクセスネットワーク２３０およびＴＷＡＮ２１２アクセスの両方のための共通ユーザプレーンサービスを提供するために、ＳＧＷ２３８に依拠する。図８に関連して以下に詳細に説明されるように、ＩＳＷ  ＧＷ２９０および統合されたＭＭＥ２３４およびＳＧＷ２３８は、ユーザ機器（ＵＥ）２６２が、ＨｅＮＢ／ＬＴＥネットワーク２３０またはＴＷＡＮ２１２のいずれかを通して、パケットデータネットワーク（ＰＤＮ）の能力にアクセスすることを可能にする。さらに、図９および１１に関連して詳細に説明されるように、ＵＥ２６２とＰＤＮ２２２との間の既存の通信接続は、ＨｅＮＢ／ＬＴＥネットワーク２３０またはＴＷＡＮ２１２の一方から他方にハンドオーバーされ得る。なおさらに、図１０および１２に関連して以下に説明されるように、ＩＳＷ  ＧＷ２９０および統合されたＭＭＥ２３４およびＳＧＷ２３８は、１つはＨｅＮＢ／ＬＴＥネットワーク２３０を介して、１つはＴＷＡＮ２１２を介して、ＵＥ２６２とパケットネットワーク２２２との間の２つの通信経路を同時に維持することを提供する。
【００５８】
前述のように、インターフェースＳ１−ＭＭＥ’２３５およびＳ１−Ｕ’２３７は、以前から既存のインターフェースＳ１−ＭＭＥおよびＳ１−Ｕに整合して動作するが、本明細書に説明されるような機能性を提供するように拡張されている。ＳＷｗ’、Ｓｔａ’、ＳＷｘ’、およびＳ６ａ’インターフェースも同様に、既存のプロトコルに整合して動作するが、開示される機能性をサポートするための追加の情報要素を伴って拡張されている。拡張されたプロトコルを搬送するインターフェースは、アポストロフィー（‘）で示される。
【００５９】
開示される実施形態のある側面によると、ＧＴＰｖ２−ＣおよびＧＴＰ−Ｕプロトコルが、要求に応じて、適切な拡張を伴って、新しいＳ１ａインターフェース２９２を経由して、使用され得る。ＧＴＰｖ２−Ｃベースの拡張は、本明細書に開示される特徴を実装するために十分である。代替実施形態では、Ｓ１−ＡＰプロトコルに基づく新しい「Ｓ１ａ−ＡＰ」プロトコルは、ＧＴＰｖ２−Ｃ拡張と同一情報を伝達するように定義され得、さらに、ＵＤＰ／ＩＰの代わりに、ＳＣＴＰ／ＩＰを使用し得る。
【００６０】
例示的実施形態では、信頼されているＷＬＡＮとＩＳＷ  ＧＷとの間のＳ１ａインターフェース上のトランスポートネットワーク接続は、動作、管理、および保守（ＯＡＭ）プロシージャの拡張を使用して確立され得る。これらおよび他のＯＡＭプロシージャは、ＨｅＮＢ構成のために以前に定義されたようなＴＲ−０６９プロトコルへの信頼されているＷＬＡＮ拡張を介して、実装され得る。
【００６１】
図５は、ＩＳＷ  ＧＷ２９０の機能的構成要素を図示する、ブロック図を描写する。ＩＳＷ  ＧＷ２９０ｌは、ＨｅＮＢ２３０とＭＭＥ２３４との間にある。ＩＳＷ  ＧＷ２９０は、ＩＳＷ  ＧＷ２９０がＭＭＥ２３４であるかのように、ＨｅＮＢ２３０と通信する。言い換えると、ＩＳＷ  ＧＷ２９０は、標準的Ｓ１−ＡＰプロトコルを使用して、標準的ＨｅＮＢ−ＭＭＥメッセージを伝送および受信する。故に、図５に描写されるように、ＩＳＷ  ＧＷ２９０は、標準的ＭＭＥスタックを採用するＭＭＥプロキシ５１０を備え、標準的Ｓ１−ＭＭＥ参照点を経由して、ＨｅＮＢと通信する。ＭＭＥプロキシの機能の１つは、Ｓ１−ＡＰを使用して、情報をＨｅＮＢから受信し、それをＩＳＷ  ＧＷ２９０内の処理を調整するインターワーキング機能（ＩＷＦ）２９１にフィードすることである。
【００６２】
ＳＧＷプロキシ５１２は、ＭＭＥプロキシ５１０と類似様式で動作するが、ユーザプレーンのためにそのように動作する。
【００６３】
信頼されているＷＬＡＮインターフェースまたはプロキシ５１４は、ＴＷＡＮ制御およびユーザプレーンのためのプロキシとして動作する。ＴＷＡＮインターフェース５１４の機能の１つは、ＴＷＡＮユーザ／制御プレーンをＩＷＦに伝達することである。例示的実施形態では、制御プレーンは、ＧＴＰｖ２−Ｃトンネリングプロトコルを使用して、通信され得る。ユーザプレーンは、ＧＴＰ−Ｕトンネルプロトコルを使用して、通信され得る。ユーザおよび制御プレーンは両方とも、Ｓ１ａインターフェース参照点２１２を経由して、搬送される。
【００６４】
ＩＷＦ２９１は、ＨｅＮＢ２３０およびＷＬＡＮ２１０の両方の制御プレーン情報を、ＩＳＷネットワーク（ＩＳＷＮ）プロキシ５１６を介して、ＭＭＥ２３４に通信する。言い換えると、ＩＳＷＮプロキシ５１６は、Ｓ１−ＭＭＥ’参照点２３５を経由して、制御プレーン情報をＩＷＦ２９１からＭＭＥ２３４に伝達することを担当する。ＭＭＥ２３４が、ＨｅＮＢ２３０およびＷＬＡＮ２１０についての制御プレーン情報を受信すると、ＭＭＥ２３４は、トラフィック管理ポリシーを適用し得る。ポリシーは、ＵＥ２６２によって伝達されるＡＮＤＳＦ情報、ＵＥの加入に基づいて受信されるＨＳＳ情報、またはＭＭＥ２３４において知覚されるローカル条件から導出され得る。ＩＷＦ２９１は、主に、トラフィック管理ポリシーを実行し、適宜、ＨｅＮＢ２３０またはＴＷＡＮ２１２のいずれかにユーザプレーンをルーティングすることを担当する。ダウンリンクにおいて、例えば、ＷｉＦｉエアインターフェースが低輻輳率を有し、ＭＭＥ２３４が、ＬＴＥエアインターフェースの代わりに、それを利用することを決定する場合、ＭＭＥ２３４は、ＷｉＦｉ経路をアクティブ化するために、ＩＳＷＮプロキシ５１６を介して、決定をＩＷＦ２９１に送信する。その結果、ユーザプレーンは、ＩＷＦ２９１においてＳＧＷ２３８から受信され、ＩＷＦ２９１によって、ＴＷＡＮインターフェース５１４を介して、ＷＬＡＮ２１０にダイレクトされる。
【００６５】
例示的実施形態では、ＥＰＣアーキテクチャの標準的エンティティであるセキュリティゲートウェイ（ＳｅＧＷ）５２０が、ＩＳＷ  ＧＷ２９１に追加され得る。ＳｅＧＷ５２０は、ＨｅＮＢ／ＴＷＡＮとＩＳＷ  ＧＷとの間のインターフェースに位置付けられ、ＥＰＣにアクセスすることのセキュリティを保証し得る。
【００６６】
（ＩＳＷシステム間移動性のためのＴＷＡＮ、ＭＭＥ、およびＨｅＮＢ−ＧＷ拡張）
前述のように、例えば、ＴＷＡＮ、ＭＭＥ、およびＨｅＮＢ−ＧＷを含む、既存のシステム構成要素は、開示されるシステムおよび方法をサポートするために修正または拡張されている。
【００６７】
３ＧＰＰ  Ｒｅｌｅａｓｅ  １２  ＳａＭＯＧフェーズ２強化に整合する、開示されるシステムおよび方法は、「マルチＰＤＮ対応」ＴＷＡＮシナリオをサポートする。マルチＰＤＮ  ＴＷＡＮシナリオでは、ＵＥ２６２およびネットワークは、ＴＷＡＮ２１２を介して、複数の同時ＰＤＮ接続をサポートすることができる。マルチＰＤＮ  ＴＷＡＮシナリオに対して、ＵＥ２６２は、３ＧＰＰ  ＡＡＡサーバ２１８とのＥＡＰ信号通信を介して、ＷＬＡＮアタッチプロシージャを開始する。ＰＤＮ接続確立プロシージャは、ＴＷＡＮ２１２とのＷＬＡＮ制御プロトコル（ＷＬＣＰ）信号通信を介して、開始される。
【００６８】
本明細書に開示される処理をサポートするために、信頼されているＷＬＡＮ２１０は、制御プレーンにおけるＧＴＰｖ２−ＣおよびユーザプレーンにおけるＧＴＰ−Ｕを使用して、「Ｓ１ａ」インターフェース２９２を介して、「ＩＳＷ対応」ＨｅＮＢ  ＧＷ、すなわち、「ＩＳＷ  ＧＷ」２９０と通信する。
【００６９】
ＩＳＷネットワーク構成プロシージャの一部として、管理システムは、ＷＬＡＮ２１０を適切なセキュリティゲートウェイ（ＳｅＧＷ）およびＩＳＷ  ＧＷ２９０にダイレクトする。簡単のために、本開示は、ＳｅＧＷ５２０が、図５に示されるように、ＩＳＷ  ＧＷ２９０と同じ場所に位置すると考える。独立型ＨｅＮＢおよびＷＬＡＮの場合、別個のセキュリティアソシエーションが、ＳｅＧＷと確立され得る。
【００７０】
開示される実施形態の側面によると、ＵＥ２６２および３ＧＰＰ  ＡＡＡサーバ２１８におけるプロトコル拡張は、ＩＳＷ  ＧＷ２９０対応ＴＷＡＮ２１２シナリオでは、信頼されているＷＬＡＮ２１０アクセスのための追加のＥＡＰ信号通信情報の交換をサポートする。加えて、ＵＥ２６２および信頼されているＷＬＡＮ２１２におけるプロトコル拡張は、ＩＳＷ  ＧＷ対応ＴＷＡＮシナリオにおいて、ＴＷＡＮアクセスのためのＳＷｗインターフェース上の追加のＷＬＣＰベースの信号通信の交換をサポートする。
【００７１】
開示される実施形態の別の側面によると、信頼されているＷＬＡＮ２１０およびＨｅＮＢ  ＧＷ２９０は、ＴＷＡＮ２１２と拡張されたＨｅＮＢ  ＧＷ、すなわち、ＩＳＷ  ＧＷ２９０との間の新しいＧＴＰｖ２−Ｃ制御プレーンおよびＧＴＰ−Ｕユーザプレーンプロシージャとの新しいＳ１ａインターフェース２９２をサポートするように修正または拡張されている。
【００７２】
ＭＭＥにおけるプロトコル拡張は、ＰＤＮへのＴＷＡＮ接続およびシステム間トラフィック管理のための拡張されたＳ１−ＡＰプロシージャをサポートする。
【００７３】
開示されるシステムおよび方法の例示的実施形態では、認証およびセキュリティプロシージャは、おそらくいくつかの強化を伴うＳＴａ、ＳＷｘ、およびＳ６ａインターフェースを使用して、既存の標準機構に従って生じる。例えば、ＳＴａ（ＳＴａ’）インターフェースは、追加のＩＳＷベースの情報の交換を可能にするように３ＧＰＰ  ＡＡＡサーバ３１８とＴＷＡＮ２１２との間で拡張され得る。同様に、ＨＳＳ２７０と３ＧＰＰ  ＡＡＡサーバ２１８との間のＳＷｘ（ＳＷｘ’）インターフェースは、追加のＩＳＷベースの情報の交換を可能にするように拡張され得る。さらに、ＨＳＳ２７０とＭＭＥ２３４との間のＳ６ａ（Ｓ６ａ’）インターフェースは、追加のＩＳＷベースの情報の交換を可能にするように拡張され得る。
【００７４】
（プロトコルアーキテクチャ）
前の議論から留意されるように、開示されるシステムおよび方法は、既存のプロトコルおよびインターフェースを採用する。しかしながら、いくつかの事例では、既存のプロトコルおよびインターフェースは、開示される処理をサポートするために拡張されている。さらに、いくつかの事例では、新しいプロトコルおよびインターフェースが、作成されている。図６は、開示される実施形態に整合する例示的プロトコルスタックを描写する。示されるように、拡張されたインターフェースＳ１−ＭＭＥ’は、ＭＭＥ２３４とＩＳＷ  ＧＷ２９０との間で動作する。Ｓ１−ＭＭＥ’インターフェースを経由して、使用され、「Ｅｘ−Ｓ１−ＡＰ」と示されるＳ１−ＡＰプロトコルは、本明細書に説明されるような処理を提供するために拡張され得る。ＴＷＡＮ２１２とＩＳＷ  ＧＷ２９０との間の新しく提示されるＳ１ａインターフェースに関して、ＧＴＰｖ２−ＣおよびＵＤＰ／ＳＣＴＰプロトコルが、開示される処理をサポートするように拡張され得る。
【００７５】
図７は、開示される実施形態に整合する例示的プロトコルスタックを描写する。例示的実施形態では、Ｓ１ａインターフェース２９２が、ＴＷＡＮ２１２を経由したＩＳＷ  ＧＷ２９０への通信のために、ユーザプレーン上にインターフェースを提供するために導入されている。例示的シナリオでは、ＧＴＰ−Ｕプロトコルは、Ｓ１ａインターフェースを経由した通信をサポートするために拡張され得る。ＩＳＷ  ＧＷ２９０とＳＧＷ２３８との間のＳ１−Ｕ’インターフェース２３７は、ＬＴＥおよびＴＷＡＮアクセスの両方のためのサポートを提供するために拡張されている。
【００７６】
以下の議論は、開示されるシステムおよび方法のサポートにおける、既存のＤｉａｍｅｔｅｒ、ＷＣＬＰ、ＮＡＳ、ＧＴＰ、およびＳ１−ＡＰプロトコルに実施され得る強化のうちのいくつかを例証する。
【００７７】
（Ｄｉａｍｅｔｅｒプロトコル拡張）
開示される実施形態のある側面によると、Ｄｉａｍｅｔｅｒ信号通信は、ＴＷＡＮ２１２が、その拡張された能力を３ＧＰＰ  ＡＡＡサーバ２１８に通信することを可能にするために拡張され得る。例えば、「アクセスタイプ」情報要素は、潜在的なアクセスタイプのうちの１つとして「ＩＳＷ対応ＴＷＡＮ」を含むように拡張され得る。ＴＷＡＮ能力も、ＩＳＷ  ＧＷへのその接続を示す。
【００７８】
以下のチャートは、開示される実施形態の側面に組み込まれ得る種々のＤｉａｍｅｔｅｒ拡張を要約する。
【００７９】
【表２】
0006470392.tif 000003
（ＷＬＣＰプロトコル拡張）
概して、３ＧＰＰ  ＴＳ２４．００８（その内容は、本明細書に参照することによって本明細書に組み込まれる）に定義されるＮＡＳセッション管理（ＳＭ）プロトコルは、本明細書に開示されるシステムおよび方法を実装するために使用され得るＷＬＣＰプロトコルを開示する。一実施形態によると、ＰＤＰコンテキストアクティブ化要求／許可／拒否およびＰＤＰコンテキスト非アクティブ化要求／許可メッセージタイプは、説明される処理に対処するために必要に応じて適合され得る。ＷＬＣＰ  Ｓｔａｇｅ３仕様書は、３ＧＰＰ  ＴＳ２４．２４４（その内容は、本明細書に参照することによってその全体として本明細書に組み込まれる）である。
【００８０】
「マルチＰＤＮ」シナリオにおけるシステム間ハンドオーバーに関して、ＳａＭＯＧフェーズ２に対して記述されるＷＬＣＰ信号通信は、ハンドオーバーされるべきＰＤＮ接続のための「ＡＰＮ」の識別とともに、「ハンドオーバー」要求タイプの使用をサポートする。システム間マルチ接続のための要求の処理に関連して、接続が成されるべきＰＤＮ接続のための「ＡＰＮ」を含む、「マルチ接続」のための新しいインジケータが、定義され得る。
【００８１】
以下のチャートは、開示されるシステムおよび方法の実施形態に組み込まれ得るＷＣＬＰ拡張を要約する。
【００８２】
【表３】
0006470392.tif 000004
（ＮＡＳプロトコル拡張）
非アクセス層（ＮＡＳ）プロトコルに関して、「マルチ接続」のための新しいインジケータが、定義される。ＵＥがＴＷＡＮを介する既存のＰＤＮ接続を有しているとき、ＵＥは、３ＧＰＰ  ＴＳ２３．４０１（その内容は、本明細書に参照することによって本明細書に組み込まれる）に規定されるＬＴＥアタッチおよびＰＤＮ接続プロシージャに対する拡張を介して、「マルチアクセス接続」を要求し得る。初期アタッチおよびハンドオーバー指示に加えて、開示されるシステムおよび方法は、マルチ接続指示を採用し得る。
【００８３】
以下のチャートは、開示されるシステムおよび方法の実施形態に組み込まれ得るＮＡＳ拡張を要約する。
【００８４】
【表４】
0006470392.tif 000005
（ＧＴＰｖ２−Ｃプロトコル拡張）
ＧＴＰｖ２−Ｃプロトコルも、本明細書に開示されるシステムおよび方法に関連して拡張され得る。例えば、ＧＴＰ−Ｃ「セッション作成要求」における指示フラグは、既存の「ハンドオーバー指示」に加えて、「マルチ接続」のための値を含むように拡張され得る。ＵＥ  ＭＡＣアドレスおよびＶＬＡＮ  ＩＤ等の追加の情報も、ＧＴＰｖ２−Ｃ信号通信を介して、ＩＳＷ  ＧＷに伝達され得る。
【００８５】
以下のチャートは、開示されるシステムおよび方法の実施形態に組み込まれ得るｇｔｐＶ２−Ｃ拡張を要約する。
【００８６】
【表５】
0006470392.tif 000006
（Ｓ１−ＡＰプロトコル拡張）
Ｓ１−ＡＰプロトコルは、ＧＴＰｖ２−Ｃベースの「セッション作成要求」および「セッション作成応答」メッセージをトランスポートするために拡張され得る。ＧＴＰ−Ｃ「セッション作成要求」内の指示フラグは、「ハンドオーバー」に加え、「マルチ接続」のための値を含むように拡張され得る。ＵＥ  ＭＡＣアドレスおよびＶＬＡＮ  ＩＤ等の追加の情報も、ＭＭＥによるルーティング決定のために伝達され得る。
【００８７】
以下のチャートは、開示されるシステムおよび方法の実施形態に組み込まれ得るＳ１−ＡＰ拡張を要約する。
【００８８】
【表６】
0006470392.tif 000007
（統合されたスモールセルおよびＷｉ−Ｆｉ（ＩＳＷ）処理）
図４−７に関連して上で説明されたシステムは、統合されたＷＬＡＮおよびＨｅＮＢ／ＬＴＥネットワークにおいてシステム間移動性を提供するように適合される。開示される例示的実施形態は、ＥＰＣ２１４のＰＤＮへのＨｅＮＢ２３０およびＷＬＡＮ２１２の両方のアクセスのために、制御プレーンおよびユーザプレーンの両方を提供するＩＳＷ  ＧＷ２９０を備えている。新しいインターフェース「Ｓ１ａ」２９２は、ＴＷＡＮ２１２とＩＳＷ  ＧＷ２９０との間の制御プレーンおよびユーザプレーン通信の両方をサポートする。ＩＳＷ  ＧＷ２９０は、ＳＷ−ＭＭＥ’制御プレーンインターフェース２３５を経由して、ＭＭＥ２３４とインターフェースをとり、Ｓ１−Ｕ’ユーザプレーンインターフェース２３７を経由して、ＳＧＷ２３８と通信する。制御プレーンインターフェースＳＷ−ＭＭＥ’２３５は、実質的に、従来のＳＷ−ＭＭＥインターフェースとして動作するが、ＷＬＡＮおよびＨＥＮＢ／ＬＴＥアクセスの両方のための制御プレーン処理に対応するように拡張されている。ユーザプレーンインターフェースＳ１−Ｕ’２３７は、実質的に、従来のＳ１−Ｕインターフェースとして動作するが、ＨｅＮＢおよびＷＬＡＮアクセスの両方に関連するＧＴＰ−Ｕデータを処理するように拡張されている。
【００８９】
図８−１２は、図４−７に関連して上で説明されたような例示的システムによって実施される例示的処理のためのフロー図を描写する。より具体的には、図８は、ユーザ機器（ＵＥ）２６２に、ＨｅＮＢ／ＬＴＥアクセスネットワーク２３０またはＴＷＡＮ２１２のいずれかを通してパケットデータネットワーク（ＰＤＮ）の能力へのアクセスを提供するＩＳＷ  ＧＷ２９０および統合されたＭＭＥ２３４およびＳＧＷ２３８に関連する処理を描写する。図９および１１は、ＨｅＮＢ／ＬＴＥアクセスネットワーク２３０またはＴＷＡＮ２１２の一方から他方にハンドオーバーされる、ＵＥ２６２とＰＤＮ２２２との間の既存の通信接続に関連付けられた処理のためのフロー図を描写する。図１０および１２、は、１つはＨｅＮＢ／ＬＴＥアクセスネットワーク２３０を介して、１つはＴＷＡＮ２１２を介して、ＵＥ２６２とパケットネットワーク２２２との間の２つの通信経路を同時に維持することを提供するＩＳＷ  ＧＷ２９０および統合されたＭＭＥ２３４およびＳＧＷ２３８に関連付けられた処理のためのフロー図を描写する。
【００９０】
（ＩＳＷゲートウェイを介したＥＰＣへのＴＷＡＮ接続）
開示されるシステムは、ＴＷＡＮを介したＰＤＮへの通信経路を確立するように適合される。システムはまた、ＨｅＮＢネットワークを通して開始される通信セッションをＴＷＡＮにハンドオーバーするように適合される。同様に、開示されるシステムは、ＨｅＮＢネットワークおよびＴＷＡＮの両方を通して、通信経路を同時に維持するように適合される。これらの各々に関連付けられた処理は、図８−１０に関連して以下に論じられる。
【００９１】
（ＩＳＷゲートウェイを介したＥＰＣへの初期接続）
ＵＥがＰＤＮまたはＥＰＣと通信し得る前に、ＵＥは、ＰＤＮまたはＥＰＣにアタッチしなければならない。開示されるシステムおよび方法は、ＴＷＡＮ２１２を介したアタッチをサポートする。
【００９２】
概して、アタッチ処理は、ＵＥ２６２が、ＩＳＷ  ＧＷ２９０を使用して、信頼されているＷＬＡＮ２１２を介して、ＥＰＣ２１４に接続することを伴う。図８は、ＴＷＡＮ２１２を通して開始されるアタッチプロシージャに関連付けられる例示的処理を描写するフロー図である。図８を参照すると、ステップ０において、Ｓ１ａトランスポートネットワーク層（ＴＮＬ）が、ＴＷＡＮ（ＷＬＡＮ  ＡＮ）２１２とＩＳＷ  ＧＷ２９０との間で確立されるか、または確立されたことが確認される。ＴＮＬは、例えば、ＯＡＭプロシージャを介して、確立され得る。
【００９３】
ステップ１において、ＵＥ２６２は、オペレータの信頼されているＷＬＡＮアクセスネットワーク（ＴＷＡＮ）２１２の一部であるＷｉ−Ｆｉアクセスポイント（ＡＰ）２１０に関連付けをする。例示的実施形態では、関連付けは、標準ＩＥＥＥ８０２．１１プロシージャに整合して、ＳＷｗインターフェースを介して生じる。ＵＥ２６２は、事前構成された情報、ＡＮＤＳＦポリシー、ＡＮＱＰ信号通信等に基づいて、このＷｉＦｉ  ＡＰ２１０を発見し、それに関連付けをすることを試行し得る。ＵＥ２６２が、ＬＴＥアクセスを介して、異なるＰＤＮへの継続中の接続をすでに有する場合、ＷｉＦｉを介して追加される接続は、ＭＡＰＣＯＮのインスタンスと見なされ得、それによって、複数のＰＤＮへの接続は、セルラーおよびＷｉＦｉアクセスの同時使用を介して、維持される。このシナリオは、図１０Ａ−Ｂに関連して以下に論じられる。
【００９４】
ステップ２において、ＥＡＰ認証が、ＴＷＡＮ２１２におけるＴＷＡＰ２６４機能性を介して、既存の標準的プロシージャを使用して実施される。ＥＡＰペイロードは、ＴＲ２３．８５２ｖ１２．０．０（その内容は、参照することによってその全体として本明細書に組み込まれる）に説明されるＳａＭＯＧフェーズ２ソリューションに従って、ＷＬＣＰプロトコルの使用をトリガする指示を含むと仮定される。
【００９５】
ステップ３において、ＵＥ２６２は、ＳａＭＯＧフェーズ２「ＷＬＡＮ制御プロトコル」（ＷＬＣＰ）に基づいて、ＰＤＮ接続を要求する。例示的シナリオでは、ＵＥ２６２は、ＵＥ２６２が現在接続されていないＰＤＮへの接続を要求し得る。要求は、前述のように、ＴＷＡＮ２１２のＷＬＡＮ  ＡＮ２１０機能において終端するＷＬＣＰベースのプロトコルを使用し得る。
【００９６】
ステップ４において、ＴＷＡＮ２１２内のＷＬＡＮ  ＡＮ２１０機能は、ＰＤＮ接続要求を、ＧＴＰｖ２−Ｃベースのセッション作成要求メッセージに変換し、ＴＷＡＮ２１２は、新しく定義されたＳ１ａインターフェース２９２を経由して、それをＩＳＷ  ＧＷ２９０に通信する。
【００９７】
ステップ５において、ＩＳＷ  ＧＷ２９０は、拡張されたＳ１−ＭＭＥ’インターフェース２３５を経由して、ＧＴＰｖ２−Ｃセッション作成要求メッセージを選択されたＭＭＥ２３４に通信する。
【００９８】
ステップ６において、ＭＭＥ２３４は、ＧＴＰｖ２−Ｃセッション作成要求メッセージを生成し、拡張されたＳ１１’（「主要」）インターフェースを経由して、ＳＧＷ２３８に伝送する。例示的実施形態では、メッセージは、ＡＰＮ、ＩＭＳＩ、ＲＡＴタイプ（例えば、ＩＳＷ−ＷＬＡＮ）、ＢＳＳＩＤ、ＳＳＩＤ等を含む。
【００９９】
ステップ７において、ＳＧＷ２３８は、ＧＴＰｖ２−Ｃセッション作成要求メッセージを生成し、Ｓ５インターフェースを経由して、選択されたＰＧＷ２２２に伝送する。例示的シナリオでは、メッセージは、ＲＡＴタイプがＩＳＷ−ＷＬＡＮであることの指示を含み得る。
【０１００】
ステップ８において、動的ポリシーおよび課金制御（ＰＣＣ）が実装されるシナリオでは、ＰＧＷ２２２は、ＱｏＳおよび課金ルールを読み出すために、セッション確立をポリシーおよび課金ルール機能（ＰＣＲＦ）に通信する。その後、ＰＧＷ２２２は、ＰＧＷ２２２において事前構成され得る。動的ＰＣＣが実装されていない場合、ルールは、ＰＧＷ２２２において事前構成され得る。ＰＧＷ２２２は、セッション確立をＰＣＲＦに通信するとき、ＲＡＴタイプがＩＳＷ−ＷＬＡＮであることを通信し得る。
【０１０１】
ステップ９において、ＰＧＷ２２２は、Ｓ６ｂインターフェース３９６を使用し、３ＧＰＰ  ＡＡＡサーバ２１８を、ＵＥ２６２のために関連付けられるＰＧＷ接続情報で更新する。加えて、ＰＧＷ２２２は、関連付けられるＳＧＷ２３８情報も提供する。３ＧＰＰ  ＡＡＡサーバ２１８は、続けて、ＳＷｘインターフェースを介して、ホーム加入者システム（ＨＳＳ）２７０をこの受信される情報で更新する。
【０１０２】
ステップ１０において、ＰＧＷ２２２は、Ｓ５−Ｃインターフェースを経由して、ＧＴＰｖ２−Ｃセッション作成応答メッセージをＳＧＷ２３８に通信する。通信は、ＧＴＰトンネル情報、ベアラパラメータ、および割り当てられたＵＥ  ＩＰアドレスを含み得る。通信の結果、ＧＴＰトンネルが、ＰＧＷ２２２とＳＧＷ２３８との間に確立される。
【０１０３】
ステップ１１において、ＳＧＷ２３８は、拡張されたＳ１１’（「主要」）インターフェースを経由して、ＧＴＰｖ２−Ｃセッション作成応答メッセージをＭＭＥ２３４に通信する。
【０１０４】
ステップ１２において、ＭＭＥ２３４は、拡張されたＳ１−ＭＭＥ’インターフェースを経由して、ＧＴＰｖ２−Ｃセッション作成応答メッセージをＩＳＷ  ＧＷ２９０に通信する。メッセージは、例えば、ＧＴＰトンネル情報、ベアラパラメータ、および割り当てられたＵＥ  ＩＰアドレスを含み得る。
【０１０５】
ステップ１３において、ＩＳＷ  ＧＷ２９０は、新しく定義されたＳ１ａインターフェース２９２を経由して、ＧＴＰｖ２−Ｃセッション作成応答メッセージをＷＬＡＮ  ＡＮ２１０に通信する。メッセージは、要求されるＰＤＮ接続が正常に確立されたことの通知を提供する。
【０１０６】
ステップ１４において、ＷＬＡＮ  ＡＮ２１０は、ＳＷｗインターフェースを経由して、ＷＬＣＰベースのプロトコルを介して、成功したＰＤＮ接続の確立をＵＥ２６２に通信する。
【０１０７】
ステップ１５において、ＵＥ２６２が、前のステップにおいて、そのＩＰｖ４アドレスを受信しなかった場合、ＤＨＣＰｖ４を介して、ＩＰｖ４アドレスをＷＬＡＮ  ＡＮから受信し得る。その後、ＷＬＡＮ  ＡＮ２１０は、ＩＳＷ  ＧＷ２９０およびＳＧＷ２３８を介して、ＵＥ２６２とＰＧＷ２２２との間でパケットをルーティングし得る。
【０１０８】
（ＨｅＮＢから信頼されているＷＬＡＮへのＩＳＷ  ＧＷ内ハンドオーバー）
いくつかの事例では、ＨｅＮＢ接続を介するＰＤＮへの既存の通信経路を有するＵＥが、既存の通信経路からＴＷＡＮ接続を介する新しい接続経路へデータフローをハンドオーバーすることが所望され得る。接続経路を切り替えるプロセスは、「ハンドオーバー」と称され得る。例示的シナリオでは、ＵＥ２６２は、ＵＥ２６２が、ＨｅＮＢ２３０を介して、すでに接続されているＰＤＮとの接続を確立するために、ＴＷＡＮ２１２アタッチメントを開始する。ＴＷＡＮ２１２を介するこのＰＤＮとの他の既存の接続は存在せず、ＴＷＡＮ２１２は、ＨｅＮＢ接続のために使用されている同じＩＳＷ  ＧＷ２９０を介してＥＰＣ２１４に接続されることが仮定される。ＴＷＡＮ２１２接続が確立されると、ＵＥ２６２は、関連付けられたＨｅＮＢ２３０接続を解放し、それによって、ＨｅＮＢ２３０からＴＷＡＮ２１２へのハンドオーバーを完了する。例示的実施形態では、本明細書に開示されるＩＳＷ  ＧＷ２９０内最適化を使用して、ＳＧＷ２３８およびＰＧＷ２２２に向けた既存のＧＴＰトンネルが、ＴＷＡＮ２１２を介した通信のために再使用される。
【０１０９】
図９Ａ−Ｂは、既存のＨｅＮＢ２３０接続から信頼されているＷＬＡＮ２１２接続へのハンドオーバーを実施することに関連付けられる例示的処理を描写するフロー図を提示する。
【０１１０】
図９Ａに示されるステップ０において、Ｓ１ａトランスポートネットワーク層（ＴＮＬ）接続が、ＴＷＡＮ（ＷＬＡＮ）２１２とＩＳＷ  ＧＷ２９０との間で確立されるか、または確立されたことが確認される。例示的実施形態では、接続は、例えば、ＯＡＭプロシージャを使用して、確立され得る。
【０１１１】
ステップ１において、例示的シナリオでは、ＵＥ２６２は、ＩＳＷ  ＧＷ２９０を介して、ＳＧＷ２３８およびＰＧＷ２２２を通して、ＰＤＮへのＨｅＮＢ２３０アクセスをすでに使用している。例示的実施形態では、接続は、以下の連結から成る：１）ＵＥ２６２とＨｅＮＢ２３０との間のＵｕインターフェースを経由したＬＴＥ無線ベアラ、２）ＨｅＮＢ２３０とＩＳＷ  ＧＷ２９０との間のＳ１インターフェースを経由したＧＴＰトンネル、３）ＩＳＷ  ＧＷ２９０とＳＧＷ２３８との間のＳ１インターフェースを経由したＧＴＰトンネル、および４）ＳＧＷ２３８とＰＧＷ２２２との間のＳ５インターフェースを経由したＧＴＰトンネル。この例示的シナリオでは、ＩＳＷ  ＧＷ２９０は、ＨｅＮＢ  ＧＷの標準的機能性を提供する。
【０１１２】
ステップ２において、ＵＥ２６２は、オペレータのＴＷＡＮ２１２の一部である、ＷｉＦｉ  ＡＰ２１０を発見し、ＨｅＮＢ２３０からＴＷＡＮ２１２への既存のＰＤＮ接続をハンドオーバーすることを選択する。ＵＥ２６２は、例えば、事前構成された情報、ＡＮＤＳＦポリシー、ＡＮＱＰ信号通信等を含む、任意の好適な情報に基づいて、このＷｉＦｉ  ＡＰ２１０を発見し、それに関連付けをすることを試行し得る。
【０１１３】
ステップ３において、ＵＥ２６２は、ＳＷｗインターフェースを経由して、標準ＩＥＥＥ８０２．１１プロシージャを使用して、Ｗｉ−Ｆｉアクセスポイント（ＡＰ）に関連付けをする。
【０１１４】
ステップ４において、ＥＡＰ認証が、ＴＷＡＮ２１２のＴＷＡＰ２６４機能性を介して、既存の標準的プロシージャを使用して実施される。例示的実施形態では、ＥＡＰペイロードは、ＴＲ２３．８５２ｖ１２．０．０（その内容は、参照することによって本明細書に組み込まれる）に説明されるＳａＭＯＧフェーズ２ソリューションに従って、ＷＬＣＰベースのプロトコルの使用をトリガする情報を含む。
【０１１５】
ステップ５において、ＵＥ２６２は、ＳａＭＯＧフェーズ２「ＷＬＡＮ制御プロトコル（ＷＬＣＰ）に基づいて、ＰＤＮ接続を要求する。この要求は、「ハンドオーバー」が要求されることを示す情報と、ＨｅＮＢを経由する既存の現在のＰＤＮ接続のためのアクセスポイント名（ＡＰＮ）とを含む。
【０１１６】
ステップ６において、ＴＷＡＮ２１２内のＷＬＡＮ  ＡＮ２１０機能は、ＰＤＮ接続要求をＧＴＰｖ２−Ｃベースのセッション作成要求メッセージに変換し、新しく提案されたＳ１ａインターフェース２９２を経由して、メッセージをＩＳＷ  ＧＷ２９０に通信する。例示的シナリオでは、メッセージは、「ハンドオーバー」指示とともに、ＡＰＮ、ＩＭＳＩ、ＲＡＴタイプ（例えば、ＩＳＷ−ＷＬＡＮ）、ＢＳＳＩＤ、ＳＳＩＤ等）を含み得る。
【０１１７】
図９Ａに示されるステップ７において、ＩＳＷ  ＧＷ２９０は、拡張されたＳ１−ＭＭＥ’インターフェース２３５を経由して、ＧＴＰｖ２−Ｃセッション作成要求メッセージをＭＭＥ２３４に通信する。例示的シナリオでは、メッセージは、「ハンドオーバー」指示とともに、ＡＰＮ、ＩＭＳＩ、ＲＡＴタイプ（例えば、ＩＳＷ−ＷＬＡＮ）、ＢＳＳＩＤ、ＳＳＩＤ等）を含み得る。
【０１１８】
図９Ｂを参照すると、ステップ８−１２は、他のネットワーク要素にシステム間イベントを知らせるように動作する。この通知処理は、例えば、接続を経由して通信されるデータに対して適切な当事者に課金することに関連して有用であり得る。
【０１１９】
ステップ８において、ＭＭＥ２３４は、ＧＴＰｖ２−Ｃセッション作成要求メッセージを生成し、拡張されたＳ１１’（「主要」）インターフェースを経由して、ＳＧＷ２３８に伝送する。既存のＰＤＮ接続のために使用されているものと同じＳＧＷ２３８が、ハンドオーバーを実装するために使用される。例示的シナリオでは、メッセージは、ＡＰＮ、ＩＭＳＩ、ＲＡＴタイプ（例えば、ＩＳＷ−ＷＬＡＮ、ＢＳＳＩＤ、ＳＳＩＤ等）と、要求が「ハンドオーバー」に関連することの指示とを含み得る。
【０１２０】
ステップ９において、ＳＧＷ２３８は、セッション作成要求メッセージを、既存のＡＰＮに対する「ハンドオーバー」指示とともに、ＰＧＷ２２２に通信する。既存のＰＤＮ接続のために使用されているものと同一ＰＧＷ２２２が、ハンドオーバーを実装するために使用される。ＰＧＷ２２２が「ハンドオーバー」指示を伴うセッション作成要求メッセージを確認すると、ＰＧＷ２２２は、ＳＧＷ２３８との新しいＧＴＰトンネルを作成するのではなく、既存のＧＴＰトンネルを使用する。セッション作成要求メッセージは、ＰＧＷ２２２に、適切なポリシーおよび課金が実施されるように、ＰＣＲＦにアクセスネットワークの変更を通知するように促す。
【０１２１】
ＰＧＷ２２２に通信されるセッション作成要求メッセージは、ＰＧＷ２２２が、必ずしも、アクセスネットワークの変更について知らされる必要がないので、随意であり得ることを理解されたい。代替実施形態では、アクセスネットワークの変更は、ＳＧＷの２３８の課金記録に記載され得る。ＳＧＷ２３８およびＰＧＷ２２２の課金記録は、請求システムにおいて後に照合され得る。
【０１２２】
なおも別の実施形態では、ＳＧＷ２３８は、ＳＧＷ２３８とＰＣＲＦ２９４との間の新しいインターフェースを介して、直接、ＰＣＲＦ２９４に、アクセスネットワークの変更を通知し得る。このシナリオでは、ＰＣＲＦは、必要に応じて、ＰＧＷを更新し得る。
【０１２３】
再び、図９Ｂを参照すると、ステップ１０において、動的ポリシーおよび課金制御（ＰＣＣ）が実装されている場合、ＰＧＷ２２２は、ＱｏＳおよび課金ルールを読み出すために、セッション確立をポリシーおよび課金ルール機能（ＰＣＲＦ）２９４に通信する。「ハンドオーバー」指示が含まれているので、ＰＧＷ２２２は、施行されるべきポリシーおよび課金ルールを取得するために、ＰＣＲＦ２９４とともにＰＣＥＦ開始ＩＰ−ＣＡＮセッション修正プロシージャを実行する。ＰＧＷ２２２は、次いで、これらのルールを施行し得る。動的ＰＣＣが実装されていない場合、そのようなルールは、ＰＧＷ２２２において事前構成され得る。
【０１２４】
ステップ１１において、ＰＧＷ２２２は、Ｓ５インターフェース２４０を経由して、ＧＴＰｖ２−Ｃセッション作成応答メッセージをＳＧＷ２３８に通信する。メッセージは、例えば、ＧＴＰトンネル情報、ベアラパラメータ、および割り当てられたＵＥＩＰアドレスを含み得る。例示的実施形態では、メッセージは、ＵＥ２６２のために以前に割り当てられたＩＰアドレスを含む。
【０１２５】
ステップ１２において、ＳＧＷ２３８は、拡張されたＳ１１’インターフェースを経由して、ＧＴＰｖ２−Ｃセッション作成応答メッセージをＭＭＥ２３４に通信する。メッセージは、ＧＴＰトンネル情報、ベアラパラメータ、およびＵＥのために以前に割り当てられたＩＰアドレス２６２を含む。
【０１２６】
ステップ１３において、ＭＭＥ２３４は、拡張されたＳ１−ＭＭＥ’インターフェース２３５を経由して、ＧＴＰｖ２−Ｃセッション作成応答メッセージをＩＳＷ  ＧＷに通信する。メッセージは、ＧＴＰトンネル情報、ベアラパラメータ、およびＵＥのために以前に割り当てられたＩＰアドレスを含む。
【０１２７】
ステップ１４において、ＩＳＷ  ＧＷ２９０は、新しく提案されたＳ１ａインターフェース２９２を経由して、ＧＴＰｖ２−Ｃセッション作成応答メッセージをＷＬＡＮ  ＡＮ２１０に通信する。メッセージは、ＧＴＰトンネル情報、ベアラパラメータ、およびＵＥのために以前に割り当てられたＩＰアドレスを含む。このステップが完了すると、ＩＳＷ  ＧＷ２９０とＷＬＡＮ  ＡＮ２１０との間のＧＴＰトンネルが、確立される。
【０１２８】
ステップ１５において、ＷＬＡＮ  ＡＮ２１０は、ＳＷｗインターフェースを経由して、ＷＬＣＰベースのプロトコルを介して、成功したＰＤＮ接続確立をＵＥ２６２に通信する。例示的実施形態では、通信は、以前に割り当てられたＵＥ  ＩＰアドレスを含む。
【０１２９】
ステップ１６において、ＷＬＡＮ  ＡＮ２１０は、ＩＳＷ  ＧＷ２９０およびＳＧＷ２３８を介して、ＵＥ２６２とＰＧＷ２２２との間でパケットをルーティングすることが可能である。
【０１３０】
ステップ１７において、ＵＥ２６２は、ＵＥ２６２とＨｅＮＢ２３０との間の無線ベアラの解放を開始する。
【０１３１】
ステップ１８において、ＵＥ２６２およびＩＳＷ  ＧＷ２９０は、排他的にＴＷＡＮ２１２内のＷＬＡＮ  ＡＮ２１０を介して、関連付けられたＰＤＮパケットを送受信する。
【０１３２】
（既存のＨｅＮＢとのＴＷＡＮを介したＩＳＷ  ＧＷ内マルチ接続）
いくつかの事例では、ＨｅＮＢ２３０接続を介して、ＰＤＮ２２２への既存の通信経路を有するＵＥ２６２が、ＴＷＡＮ２１２接続を介して、別の通信経路をＰＤＮに追加することが所望され得る。接続を既存の通信経路に追加するプロセスは、「マルチ接続」の生成と称され得る。
【０１３３】
例示的シナリオでは、マルチ接続は、ＵＥ２６２が、ＴＷＡＮ２１を介してアタッチし、ＨｅＮＢ２３０を介してすでに接続されているＩＳＷ  ＧＷ２９０を介して、ＰＤＮ接続を確立するときに確立され得る。ＴＷＡＮ２１２接続が確立されると、ＵＥ２６２は、両方の接続を維持し、ローカルに記憶されたポリシー、信号条件等に応じて、特定のアップリンクＩＰトラフィックフローの伝送をＴＷＡＮ２１２またはＨｅＮＢ２３０のいずれかに割り当てる。アクセスはパケットごとに変化できるが、特定のアクセス選択が、条件が許す限り安定した期間にわたって使用されるであろうことが予期される。
【０１３４】
制御プレーンに関して、ＭＭＥ２３４は、トラフィックルーティングポリシーをＩＳＷ  ＧＷ２９０に提供する。ユーザプレーンでは、ＩＳＷ  ＧＷ２９０は、受信されたアップリンクＩＰパケットに対するアクセスを記録し、ポリシーに基づいて、同一経路を介して、関連付けられたダウンリンクパケットを伝送し得る。採用すべき接続を決定するために使用されるポリシーは、例えば、対応する５タプルのソースＩＰアドレス、ソースポート番号、宛先ＩＰアドレス、宛先ポート番号、および／または、例えば、ＴＣＰ、ＵＤＰ等のトランスポート層プロトコルに基づく選択を示し得る。代替実施形態では、ＭＭＥ提供ポリシーがない場合、ＩＳＷ  ＧＷ２９０は、例えば、通信経路間の負荷バランス等のそれ自身の基準に基づいて、通信経路を選択し得る。
【０１３５】
トラフィックルーティングポリシーは、ネットワーク関連基準、ＵＥ関連基準、または両方に従って設定され得る。例えば、ネットワーク関連ポリシーでは、ＭＭＥ２３４は、他のものと比較してより低い利用率を有するエアインターフェースを優遇するように決定し得る。そうすることによって、負荷バランシング目的を達成する。一方、ＵＥ関連ポリシーでは、ＭＭＥ２３４は、標的とされるユーザのサービスの質（ＱｏＳ）を達成する特定のエアインターフェースを利用することを決定し得る。
【０１３６】
図１０Ａ−Ｂは、ＴＷＡＮ２１２接続を既存のＨｅＮＢ２３０接続に追加することによって、ＵＥ２６２とＰＤＮ２２との間のマルチ接続を作成することに関連付けられる例示的処理を描写するフロー図を提示する。
【０１３７】
図１０Ａを参照すると、ステップ０に図示されるように、Ｓ１ａトランスポートネットワーク層（ＴＮＬ）接続が、ＴＷＡＮ（ＷＬＡＮ  ＡＮ）２１２とＩＳＷ  ＧＷ２９０との間に確立されるか、または確立されたことが確認される。接続は、例えば、ＯＡＭプロシージャを使用して、確立され得る。
【０１３８】
ステップ１において、ＩＳＷ  ＧＷを介した特定のＰＤＮへのＨｅＮＢアクセスを使用したＵＥの接続が、確立される。例示的シナリオでは、接続は、以下の連結から成る１）ＵＥ２６２とＨｅＮＢ２３０との間のＵｕインターフェースを経由したＬＴＥ無線ベアラ、２）ＨｅＮＢ２３０とＩＳＷ  ＧＷ２９０との間のＳ１−Ｕインターフェースを経由したＧＴＰトンネル、３）ＩＳＷ  ＧＷ２９０とＳＧＷ２３８との間のＳ１−Ｕインターフェースを経由したＧＴＰ−Ｕトンネル、および、４）ＳＧＷ２３８とＰＧＷ２２２との間のＳ５インターフェースを経由したＧＴＰトンネル。
【０１３９】
ステップ２において、ＵＥ２６２は、オペレータのＴＷＡＮ２１２に属するＷｉＦｉ  ＡＰを発見し、既存のＰＤＮ２２２へのマルチアクセス接続を確立することを選択する。ＵＥ２６２は、例えば、事前構成された情報、ＡＮＤＳＦポリシー、ＡＮＱＰ信号通信等の使用を含む、任意の好適な様式において、このＷｉＦｉ  ＡＰ２１０を発見し、それに関連付けをすることを試行し得る。一例示的シナリオでは、ＵＥ２６２は、例えば、信号強度、感知される輻輳、バッテリ電力等のローカルポリシーおよび条件に基づいて、マルチアクセスＰＤＮ接続を開始することを決定し得る。
【０１４０】
ステップ３において、ＵＥ２６２は、オペレータの信頼されているＷＬＡＮアクセスネットワーク（ＴＷＡＮ）２１０の一部であるＷｉ−Ｆｉアクセスポイント（ＡＰ）に関連付けをする。例示的シナリオでは、関連付けは、ＳＷｗインターフェースを介した標準ＩＥＥＥ８０２．１１プロシージャを介して生じる。
【０１４１】
ステップ４において、ＥＡＰ認証が、既存の標準的プロシージャを使用して実施される。例示的実施形態では、ＥＡＰペイロードは、ＴＲ２３．８５２ｖ１２．０．０（その内容は、参照することによってその全体として本明細書に組み込まれる）に説明されるＳａＭＯＧフェーズ２ソリューションに従って、ＷＬＣＰベースのプロトコルの使用をトリガする指示を含む。
【０１４２】
ステップ５において、ＵＥ２６２は、ＳａＭＯＧフェーズ２「ＷＬＡＮ制御プロトコル（ＷＬＣＰ）に基づいて、ＰＤＮ接続を要求する。例示的シナリオでは、ＵＥ２６２は、要求に、既存のＨｅＮＢ／ＬＴＥ接続を介してアクセスされる特定のＰＤＮのためのＡＰＮを含む。要求はさらに、ＵＥ２６２が、ＴＷＡＮ２１２を通してＰＤＮ２２２にアクセスするために、ＨｅＮＢ２３０を通してアクセスのために現在使用されているものと同一のＩＰアドレスを割り当てるために、ＥＰＣ２１４によって使用され得る「マルチ接続」インジケータを含み得る。
【０１４３】
ステップ６において、ＴＷＡＮ２１２内のＷＬＡＮ  ＡＮ２１０機能は、ＰＤＮ接続要求をＧＴＰｖ２−Ｃベースのセッション作成要求メッセージに変換し、新しく定義されたＳ１ａインターフェース２９２を経由して、メッセージをＩＳＷ  ＧＷ２９０に通信する。例示的実施形態では、メッセージは、ＡＰＮ、ＩＭＳＩ、およびＲＡＴタイプ（例えば、ＩＳＷ−ＷＬＡＮ、ＢＳＳＩＤ、ＳＳＩＤ等）を含み得る。要求はさらに、アクセスルーティングポリシーとともに、要求が「マルチ接続」を確立することであることを示す情報を含み得る。
【０１４４】
図１０Ａに示されるステップ７において、ＩＳＷ  ＧＷ２９０は、ＧＴＰｖ２−Ｃベースのセッション作成要求メッセージを生成し、拡張されたＳ１−ＭＭＥ’インターフェース２３５を経由して、ＭＭＥ２３４に伝送する。例示的実施形態では、メッセージは、ＡＰＮ、ＩＭＳＩ、およびＲＡＴタイプ（例えば、ＩＳＷ−ＷＬＡＮ、ＢＳＳＩＤ、ＳＳＩＤ等）を含み得る。要求はさらに、アクセスルーティングポリシーとともに、要求が「マルチ接続」を確立することであることを示す情報を含み得る。
【０１４５】
図１０Ｂを参照すると、ステップ８−１２は、他のネットワーク要素にシステム間イベントを知らせるように動作する。この通知処理は、例えば、接続を経由して通信されるデータに関して適切な当事者に課金することに関連して有用であり得る。
【０１４６】
ステップ８において、ＭＭＥ２３４は、拡張されたＳ１１’（「主要」）インターフェースを経由して、ＧＴＰｖ２−Ｃベースのセッション作成要求メッセージをＳＧＷ２３８に通信する。既存のＰＤＮ接続のために使用されているものと同一ＳＧＷ２３８が、マルチ接続を実装するために使用される。例示的シナリオでは、メッセージは、ＡＰＮ、ＩＭＳＩ、ＲＡＴタイプ（例えば、ＩＳＷ−ＷＬＡＮ、ＢＳＳＩＤ、ＳＳＩＤ等）と、要求が「マルチ接続」に関することの指示とを含む。
【０１４７】
ステップ９において、ＳＧＷ２３８は、セッション作成要求を、既存のＡＰＮに対する「マルチ接続」指示とともに、ＰＧＷ２２２に通信する。既存のＰＤＮ接続のために使用されているものと同一ＰＧＷ２２２が、マルチ接続の形成を実装するために使用される。ＰＧＷ２２２が「マルチ接続」指示を伴うセッション作成要求メッセージを識別すると、ＰＧＷ２２２は、ＳＧＷとの新しいＧＴＰトンネルを作成するのではなく、既存のＳＧＷＧＴＰトンネルを使用する。セッション作成要求メッセージは、ＰＧＷ２２２に、適切なポリシーおよび課金が実施されるように、ＰＣＲＦ２９４に追加のＴＷＡＮアクセスを通知するように促す。
【０１４８】
セッション作成要求メッセージの通信は、ＰＧＷ２２２が、必ずしも、アクセスネットワークの変更についての指示を受信する必要はないので、随意であり得ることを理解されたい。代替実施形態では、ＳＧＷ２３８は、ＳＧＷ２３８とＰＣＲＦ２９４との間の新しいインターフェースを介して、直接、ＰＣＲＦ２９４に、アクセスネットワークの変更を通知し得る。このシナリオでは、ＰＣＲＦ２９４は、必要に応じて、ＰＧＷ２２２を更新し得る。
【０１４９】
ステップ１０において、動的ポリシーおよび課金制御（ＰＣＣ）が実装されている場合、ＰＧＷ２２２は、ＱｏＳおよび課金ルールを読み出すために、ＴＷＡＮ２１２セッション確立をポリシーおよび課金ルール機能（ＰＣＲＦ）２９４に通信する。「マルチ接続」指示が含まれるので、ＰＧＷ２２２は、施行されるべきポリシーおよび課金ルールを取得するために、ＰＣＲＦ２９４とともにＰＣＥＦ開始ＩＰ−ＣＡＮセッション修正プロシージャを実行する。ＰＧＷ２２２は、次いで、これらのルールを施行し得る。動的ＰＣＣが実装されていない場合、そのようなルールは、ＰＧＷ２２２において事前構成され得る。
【０１５０】
ステップ１１において、ＰＧＷ２２２は、Ｓ５インターフェースを経由して、ＧＴＰｖ２−Ｃセッション作成応答メッセージをＳＧＷ２３８に通信する。メッセージは、例えば、ＧＴＰトンネル情報、ベアラパラメータ、および割り当てられたＵＥＩＰアドレスを含み得る。メッセージはさらに、ＵＥのために以前に割り当てられたＩＰアドレスを含む。
【０１５１】
ステップ１２において、ＳＧＷ２３８は、拡張されたＳ１１’インターフェースを経由して、ＧＴＰｖ２−Ｃベースのセッション作成応答メッセージをＭＭＥ２３４に通信する。メッセージは、ＧＴＰトンネル情報、ベアラパラメータ、およびＵＥのために以前に割り当てられたＩＰアドレスを含む。
【０１５２】
ステップ１３において、ＭＭＥ２３４は、拡張されたＳ１−ＭＭＥ’インターフェース２３５を経由して、ＧＴＰｖ２−Ｃベースのセッション作成応答メッセージをＩＳＷ  ＧＷ２９０に通信する。メッセージは、ＧＴＰトンネル情報、ベアラパラメータ、およびＵＥのために以前に割り当てられたＩＰアドレス２６２を含む。例示的実施形態では、メッセージはさらに、ＴＷＡＮまたはＨｅＮＢ接続のいずれかを経由してデータをルーティングすることを選択することにおいて、ＩＳＷ  ＧＷ２９０によって使用され得る、マルチ接続アクセスルーティングポリシーを含み得る。
【０１５３】
ステップ１４において、ＩＳＷ  ＧＷ２９０は、新しく提案されたＳ１ａインターフェース２９２を経由して、ＧＴＰｖ２−Ｃベースのセッション作成応答メッセージをＴＷＡＮ２１２内のＷＬＡＮ  ＡＮ２１０機能に通信する。メッセージは、ＧＴＰトンネル情報、ベアラパラメータ、およびＵＥのために以前に割り当てられたＩＰアドレス２６２を含む。このステップが完了すると、ＩＳＷ  ＧＷ２９０とＷＬＡＮ  ＡＮ２１０との間のＧＴＰトンネルが、確立される。
【０１５４】
ステップ１５において、ＷＬＡＮ  ＡＮ２１０は、ＳＷｗインターフェースを経由して、ＷＬＣＰベースのプロトコルを介して、成功したＰＤＮ接続確立をＵＥ２６２に通信する。例示的実施形態では、通信は、以前に割り当てられたＵＥＩＰアドレスを含む。
【０１５５】
ステップ１６において、ＴＷＡＮ２１２は、ＩＳＷ  ＧＷ２９０およびＳＧＷ２３８を介して、ＵＥ２６２とＰＧＷ２２２との間でパケットをルーティングすることが可能である。
【０１５６】
ステップ１７において、ＵＥ２６２は、ＴＷＡＮ２１２またはＨｅＮＢ２３０のいずれかを経由して、ＩＳＷ  ＧＷ２３８を介して、ＰＤＮ２２２にパケットをルーティングし得る。同様に、ＩＳＷ  ＧＷ２９０は、ＴＷＡＮ２１２またはＨｅＮＢ２３０のいずれかを経由して、ＵＥ２６２にパケットをルーティングし得る。
【０１５７】
（ＩＳＷゲートウェイを介したＥＰＣへのＨｅＮＢ接続性）
図４−９に関連した上記の議論は、主として、ＴＷＡＮを介して開始されるＰＤＮ２２２への接続に焦点を当てた。しかしながら、開示されるシステムおよび方法は、ＨｅＮＢ／ＬＴＥアクセスネットワークを介して開始される接続にも適用される。
【０１５８】
（ＩＳＷ  ＧＷを使用し、ＨｅＮＢを介した、初期ＥＰＣアタッチメント）
開示されるシステムおよび方法において、ＬＴＥ（Ｈ）ｅＮＢアクセスネットワークを介した初期アタッチが、実質的に既存の３ＧＰＰ規格に定義されるように実施される。（Ｈ）ｅＮＢを介した初期アタッチは、ベースラインＥＰＣアーキテクチャならびにプロトコルとともに、標準ＭＭＥ２３４およびＳＧＷ２３８を利用する。しかしながら、統合されたスモールセルおよびＷｉ−Ｆｉアクセスのための開示されるシステムおよび方法において、既存の処理からの１つの違いは、初期ＬＴＥアクセスのためにＩＳＷ対応ＳＧＷ２３８を割り当てるＭＭＥ２３４の能力である。ＭＭＥ２３４は、この情報を、Ｓ６ａインターフェースを介してＨＳＳ２７０によって提供される拡張された情報の一部として認識する。
【０１５９】
（ＴＷＡＮからＨｅＮＢへのＵＥ開始ＩＳＷ  ＧＷ内ハンドオーバー）
ＨｅＮＢ／ＬＴＥ接続からＴＷＡＮ接続へのＳＧＷ内ハンドオーバーのためのプロセスが、図９に関連して上で説明された。開示されるシステムおよび方法は同様に、ＴＷＡＮ接続からＨｅＮＢ／ＬＴＥ接続へのハンドオーバーをサポートするように適合される。図１１Ａ−Ｃは、ＴＷＡＮ接続からＬＴＥ接続へのハンドオーバプロシージャに関連して実施される、例示的処理を提示する。
【０１６０】
３ＧＰＰ規格は、２つの形態のシステム内ＬＴＥハンドオーバー（例えば、あるｅＮＢ通信経路から別のｅＮＢ通信経路へのハンドオーバー）、すなわち、１）Ｓ１ベースのハンドオーバーと、２）Ｘ２ベースのハンドオーバーとをサポートする。ハンドオーバーが実施され、異なるＳＧＷが送信元ｅＮＢおよび標的ｅＮＢにサービス提供している場合、要求されるＳＧＷ「再配置」プロシージャも、規定される。ＬＴＥ内ハンドオーバーは、典型的には、ネットワークによって開始され、通常、（Ｈ）ｅＮＢに報告されるＵＥ測定値に基づく。
【０１６１】
システム間ＬＴＥハンドオーバーに関して、現在の３ＧＰＰ規格に従って、システム間ハンドオーバー（例えば、ＴＷＡＮ接続からｅＮＢ接続へのハンドオーバー）が、ＵＥによって開始される。本明細書に開示されるシステムおよび方法では、ＨｅＮＢ／ＷＬＡＮハンドオーバーは、Ｓ１ａインターフェース２９２を利用し得る。
【０１６２】
例示的シナリオでは、ＰＤＮ接続は、ＵＥとＴＷＡＮとの間のＷＬＡＮリンク、ＴＷＡＮとＩＳＷ  ＧＷとの間のＧＴＰトンネル、ＩＳＷ  ＧＷとＳＧＷとの間のＧＴＰトンネル、およびＳＧＷとＰＧＷとの間の別のＧＴＰトンネルの連結を介してすでに存在すると仮定され得る。例示的実施形態では、ハンドオーバプロシージャは、ＩＳＷ  ＧＷからＵＥへのトンネルの一部をＨｅＮＢを介した新しいトンネル部分と置換するが、既存のトンネル（例えば、ＳＧＷおよびＰＧＷに向けたＧＴＰトンネル）の一部を再使用する。
【０１６３】
ＨｅＮＢ接続が確立されると、ＭＭＥは、関連付けられたＴＷＡＮ接続を解放し、それによって、ＴＷＡＮからＨｅＮＢへのハンドオーバーを完了する。しかしながら、本開示におけるＩＳＷ  ＧＷ内最適化に基づいて、ＳＧＷおよびＰＧＷに向けたＧＴＰトンネルは、再使用される。
【０１６４】
図１１Ａ−Ｃは、ＴＷＡＮ２１２からＨｅＮＢ２３０へのＩＳＷ  ＧＷ内ハンドオーバーに関連付けられる、例示的処理のフロー図を描写する。
【０１６５】
図１１Ａを参照すると、ステップ１において、ＵＥ２６２は、前述のように、ＴＷＡＮ２１２を使用して、ＩＳＷ  ＧＷ２９０を介して、ＰＧＷ２２２に接続する。例示的実施形態では、接続は、以下の連結から成る：１）ＵＥとＴＷＡＮとの間のＳＷｗインターフェースを経由したＷＬＡＮリンク、２）ＴＷＡＮとＩＳＷ  ＧＷとの間の新しく提案されたＳ１ａインターフェースを経由したＧＴＰトンネル、３）ＩＳＷ  ＧＷとＳＧＷとの間のＳ１インターフェースを経由したＧＴＰトンネル、および、４）ＳＧＷとＰＧＷとの間のＳ５インターフェースを経由したＧＴＰトンネル。ＵＥ２６２のＴＷＡＮ−ＩＳＷ  ＧＷ−ＳＧＷ接続情報は、ＨＳＳ２７０内に記憶され得る。
【０１６６】
ステップ２において、ＵＥ２６２は、その現在のＰＤＮ２２２接続をＴＷＡＮ２１２からＨｅＮＢ２３０に転送（すなわち、ハンドオーバ）することを決定または選択する。例示的実施形態では、ＵＥ２６２は、一連のアクションを決定するために、アクセスネットワーク発見および選択機能（ＡＮＤＳＦ）ポリシーを使用し得る。
【０１６７】
ステップ３において、ＵＥ２６２は、アタッチ要求メッセージを生成し、ＨｅＮＢ２３０を通してＭＭＥ２３４に通信する。例示的実施形態では、メッセージは、アタッチタイプおよびアクセスポイント名（ＡＰＮ）を含む。ＡＰＮは、ＴＷＡＮ２１２内のＰＤＮ２２２接続に対応する可能ないくつかのＡＰＮのうちの任意の１つであり得る。メッセージはさらに、要求が「ハンドオーバー」のためのものであることの指示を含み得る。メッセージは、ＨｅＮＢ２３０によって、ＩＳＷ  ＧＷ２９０を介して、ＭＭＥ２３４にルーティングされる。
【０１６８】
ステップ４において、ＭＭＥ２３４は、ＨＳＳ２７０にコンタクトし、ＵＥ２６２を認証する。
【０１６９】
ステップ５において、認証に成功した後、ＭＭＥ２３４は、ＨＳＳ２７０から場所更新プロシージャおよび加入者データ読み出しを実施する。要求がハンドオーバーのためのものである場合、ＭＭＥ２３４に伝達されるＰＧＷ２２２アドレスは、ＭＭＥのＰＤＮ加入コンテキスト内に記憶される。ＭＭＥ２３４は、ＨＳＳ２７０から得られた加入者データを介して、ＵＥのＴＷＡＮ  ＰＤＮ接続のための情報を受信する。例示的実施形態では、ＨＳＳ２７０は、ＭＭＥ２３４およびＳＧＷ２３８を「ＩＳＷ対応」として識別する情報を含み得る。代替として、ＵＥ２６２が、ＴＷＡＮ２１２に認証されている間、ＵＥ２６２は、更新された加入者情報をＭＭＥ２３４に送信するためにＨＳＳ２７２をトリガし得る。
【０１７０】
図１１Ｂを参照すると、ステップ６−１０は、他のネットワーク要素にシステム間イベントを知らせるように動作する。この通知処理は、例えば、接続を経由して通信されるデータに対して適切な当事者に課金することに関連して有用であり得る。
【０１７１】
ステップ６において、ＭＭＥ２３４は、ＡＰＮ、ＳＧＷ、およびＰＧＷを選択する。ＨｅＮＢ２３０がＴＷＡＮ２１２と同じＳＧＷ２３８によってサービス提供される場合、ＭＭＥ２３４は、セッション作成要求（ＩＭＳＩ、ＭＭＥコンテキストＩＤ、ＰＧＷアドレス、ＡＰＮ、および「ハンドオーバー」指示を含む）メッセージを生成し、選択されたＳＧＷ２３８に通信する。
【０１７２】
ステップ７において、ＳＧＷ２３８は、セッション作成要求（「ハンドオーバ」指示）メッセージをＰＧＷ２２２に通信する。既存のＰＤＮ２２２接続のＳＧＷ間ハンドオーバーが実施されているシナリオでは、同じＰＧＷ２２２が、使用される。したがって、ＰＧＷ２２２がシステム間「ハンドオーバー」指示を伴うセッション作成要求メッセージと、ＴＷＡＮとの既存のセッションによるものと同じＡＰＮを確認すると、ＰＧＷ２２８は、ＳＧＷとの新しいＧＴＰトンネルを作成するのではなく、既存のＧＴＰトンネルを使用する。メッセージは、ＰＣＲＦ２９４が、適切なポリシーおよび課金が実施されるように、アクセスの変更が通知される結果をもたらす。
【０１７３】
ステップ８において、「ハンドオーバー」指示が含まれるので、ＰＧＷ２２２は、施行されるべきポリシーおよび課金ルールを取得するために、ＰＣＲＦ２９４とともにＰＣＥＦ開始ＩＰ−ＣＡＮセッション修正プロシージャを実行する。
【０１７４】
ステップ９において、ＰＧＷ２２２は、ＳＧＷ２３８にセッション作成応答メッセージで応答する。例示的実施形態では、メッセージは、ＴＷＡＮ２１２アクセスのためにＵＥ２６２に割り当てられたＩＰアドレスまたはプレフィックスを含む。メッセージは、ＴＷＡＮ２１２を通してＰＤＮ接続のために割り当てられた課金ＩＤも含み得る。
【０１７５】
ステップ１０において、ＳＧＷ２３８は、ＭＭＥ２３４にセッション作成応答メッセージを返す。メッセージは、例えば、ＵＥのＩＰアドレスを含む。
【０１７６】
図１１Ｃを参照すると、ステップ１１において、ＭＭＥ２３４は、ＩＳＷ  ＧＷ２９０を通した初期コンテキスト要求を介して、ＨｅＮＢ２３０とＳＧＷ２３８との間のアクセスベアラ確立を開始する。これは、ＵＥ２６２とＨｅＮＢ２３０との間の無線ベアラ確立をもたらす。
【０１７７】
ステップ１２において、ＨｅＮＢ２３０は、ＩＳＷ  ＧＷ２９０を介して、初期コンテキスト設定応答をＭＭＥ２３４に通信する。
【０１７８】
ステップ１３において、ＭＭＥ２３４は、ＩＳＷ  ＧＷ２９０を介して、ベアラ削除要求をＴＷＡＮ２１２に通信することによって、ＴＷＡＮ２１２リソース割り当て非アクティブ化を開始する。ＴＷＡＮ２１２は、ＷＬＣＰベースのＰＤＮ切断要求メッセージを利用して、ＵＥ−ＴＷＡＮ接続を解放する。
【０１７９】
ステップ１４において、ＵＥ２６２は、ＷＬＣＰベースのＰＤＮ切断承認メッセージを介して、ＴＷＡＮ２１２に解放を肯定応答し、ＷＬＡＮ接続を解放する。ＴＷＡＮ２１２は、ＩＳＷ  ＧＷ２９０を介して、ベアラ削除応答をＭＭＥ２３４に送信することによって、ＴＷＡＮ接続の解放を示す。
【０１８０】
（既存のＴＷＡＮとのＨｅＮＢを介したＩＳＷ  ＧＷ内マルチ接続）
いくつかの事例では、ＴＷＡＮ接続を介するＰＤＮへの既存の通信経路を有するＵＥが、ＨｅＮＢ接続を介する別の通信経路をＰＤＮに追加することが所望され得る。接続を既存の通信経路に追加するプロセスは、「マルチ接続」生成と称され得る。
【０１８１】
例示的シナリオでは、マルチ接続は、ＵＥ２６２が、ＨｅＮＢ２３０を介してアタッチし、ＴＷＡＮ２１２を介してすでに接続されているＰＤＮ２２２と接続を確立するときに確立され得る。例示的実施形態では、ＭＭＥ２３４は、ＨｅＮＢ２３０接続のために、ＵＥのＴＷＡＮ２１２接続によって使用されているものと同じＳＧＷ２３８を割り当てる。例示的シナリオでは、ＨＳＳベースのポリシーが、両接続を経由して特定のＩＰデータフローをハンドリングするために採用され得る。
【０１８２】
例示的シナリオでは、ＩＳＷ  ＧＷ２９０は、同じＰＤＮへのＴＷＡＮ２１２接続を介して、ＵＥ２６２にすでにサービス提供している。ＨｅＮＢ２３０接続が確立されると、ＵＥ２６２は、両接続を維持し、ローカルに記憶されたポリシー、信号条件等に応じて、特定のアップリンクＩＰトラフィックフローの伝送をＴＷＡＮ２１２またはＨｅＮＢ２３０のいずれかに割り当てる。特定の接続、すなわち、ＴＷＡＮまたはＨｅＮＢは、パケットごとに変化し得るが、特定のアクセス接続が、典型的には、条件が許す限り、安定した期間にわたって使用されるであろうことが予期される。例示的実施形態では、ＭＭＥ２３４は、ＩＳＷ  ＧＷ２９０によって提供されるポリシーに基づいて、受信されたアップリンクＩＰパケットのための通信経路を記録し、同じ通信経路を介して、関連付けられたダウンリンクパケットを伝送する（例えば、対応する５タプルに基づいて）。別の実施形態では、ＭＭＥ提供ポリシーがない場合、ＩＳＷ  ＧＷ２９０は、例えば、負荷バランス等のそれ自身の基準に基づいて、いずれかのアクセスを経由して、ダウンリンクパケットを送信し得る。ＭＭＥ２３４およびＩＳＷ  ＧＷ２９０は、ＴＷＡＮとＰＤＮの接続プロシージャの一部として、アクセスルーティングポリシーを前もって受信している場合がある。
【０１８３】
図１２Ａ−Ｃは、両ＴＷＡＮ２１２およびＨｅＮＢ２３０の両方を介してマルチ接続を形成するステップに関連付けられる例示的処理を描写するフロー図を提示する。
【０１８４】
図１２Ａを参照すると、示されるように、ステップ１において、ＵＥ２６２は、ＴＷＡＮ２１２およびＩＳＷ  ＧＷ２９０を介して、ＰＧＷ２２２との確立されたデータ接続を有する。接続は、以下の連結から成る：１）ＵＥとＴＷＡＮとの間のＳＷｗインターフェースを経由したＷＬＡＮリンク、２）ＴＷＡＮとＩＳＷ  ＧＷとの間の新しく提案されたＳ１ａインターフェースを経由したＧＴＰトンネル、３）ＩＳＷ  ＧＷとＳＧＷとの間のＳ１インターフェースを経由したＧＴＰトンネル、および、４）ＳＧＷとＰＧＷとの間のＳ５インターフェースを経由したＧＴＰトンネル。ＵＥ２６２のＴＷＡＮ−ＩＳＷ  ＧＷ−ＳＧＷ接続情報は、ＨＳＳ２７０内に記憶され得る。
【０１８５】
ステップ２において、ＵＥ２６２は、ＨｅＮＢ２３０を発見し、既存のＰＤＮ２２２へのマルチアクセス接続を確立することを決定または選択する。ＵＥ２６２は、マルチポイント接続を形成することを決定することにおいて、ＡＮＤＳＦポリシーに依拠し得る。
【０１８６】
ステップ３において、ＵＥ２６２は、アタッチ要求メッセージをＭＭＥ２３４に送信する。メッセージは、例えば、アタッチタイプおよびＡＰＮを含み得る。既存のＰＤＮ２２２へのマルチアクセス接続の場合、「マルチ接続」アタッチのための新しい指示が、通信される。「マルチ接続」アタッチに対して、ＵＥ２６２は、ＴＷＡＮ２１２内の既存のＰＤＮ接続に対応するＡＰＮのうちの任意の１つを含む。メッセージは、ＨｅＮＢ２３０によって、ＩＳＷ  ＧＷ２９０を介して、ＭＭＥ２３４にルーティングされる。
【０１８７】
ステップ４において、ＭＭＥ２３４は、ＨＳＳ２７０にコンタクトし、ＵＥ２６２を認証する。
【０１８８】
ステップ５において、認証に成功した後、ＭＭＥ２３４は、場所更新プロシージャを実施し、加入者データをＨＳＳ２７０から読み出す。ＭＭＥ２３４に伝達されるＰＧＷ２２２アドレスは、ＭＭＥのＰＤＮ加入コンテキスト内に記憶される。ＭＭＥ２３４は、ＨＳＳ２７０から読み出された加入者データを介して、ＵＥのＴＷＡＮ  ＰＤＮ接続に関する情報を受信する。
【０１８９】
図１２Ｂを参照すると、ステップ６−１０は、他のネットワーク要素にシステム間イベントを通知するように動作する。この通知処理は、例えば、接続を経由して通信されるデータに対して適切な当事者に課金することに関連して有用であり得る。
【０１９０】
ステップ６において、ＭＭＥ２３４は、ＡＰＮ、ＳＧＷ、およびＰＧＷを選択する。ＨｅＮＢ２３０がＴＷＡＮ２１２と同じＳＧＷ２３８によってサービス提供されることができる場合、ＭＭＥ２３４は、セッション作成要求（ＩＭＳＩ、ＭＭＥコンテキストＩＤ、ＰＧＷアドレス、ＡＰＮ、「マルチ接続」指示、指示）メッセージを生成し、選択されたＳＧＷ２３８に通信する。
【０１９１】
ステップ７において、ＳＧＷ２３８は、セッション作成要求（「マルチ接続」指示）メッセージをＰＧＷ２２２に通信する。既存のＰＤＮへのＩＳＷ  ＧＷ２９０内マルチアクセス接続が実施されているシナリオでは、同じＰＧＷ２２２が、使用される。したがって、ＰＧＷ２２２が「マルチ接続」指示を伴うセッション作成要求メッセージと、ＴＷＡＮとの既存のセッションによるものと同じＡＰＮを識別すると、ＰＧＷ２２２は、ＳＧＷ２３８との新しいものを作成するのではなく、既存のＧＴＰトンネルを使用する。メッセージは、ＰＣＲＦ２９４が、適切なポリシーおよび課金が実施されるように、アクセスの変更が通知される結果をもたらす。
【０１９２】
ステップ８において、「マルチ接続」指示が含まれるため、ＰＧＷ２２２は、施行されるべきポリシーおよび課金ルールを取得するために、ＰＣＲＦ２９４とともにＰＣＥＦ開始ＩＰ−ＣＡＮセッション修正プロシージャを実行する。
【０１９３】
ステップ９において、ＰＧＷ２２２は、ＳＧＷ２３８にセッション作成応答メッセージで応答する。例示的実施形態では、メッセージは、ＴＷＡＮ２１２アクセスのためにＵＥ２６２に割り当てられたＩＰアドレスまたはプリフィックスを含む。メッセージはまた、ＴＷＡＮ２１２を通してＰＤＮ接続のために割り当てられた課金ＩＤを含み得る。
【０１９４】
ステップ１０において、ＳＧＷ２３８は、ＭＭＥ２３４にセッション作成応答メッセージを返す。メッセージは、例えば、ＵＥ２６２のＩＰアドレスを含む。
【０１９５】
図１２Ｃを参照すると、ステップ１１において、ＭＭＥ２３４は、ＩＳＷ  ＧＷ２９０を通した初期コンテキスト要求を介して、ＨｅＮＢ２３０とＳＧＷ２３８との間のアクセスベアラ確立を開始する。これは、ＵＥ２６２とＨｅＮＢ２３０との間の無線ベアラ確立をもたらす。
【０１９６】
ステップ１２において、ＨｅＮＢ２３０は、ＩＳＷ  ＧＷ２９０を介して、初期コンテキスト設定応答をＭＭＥ２３４に送信する。
【０１９７】
ステップ１３において、ＵＥ２６２は、ＴＷＡＮ２１２またはＨｅＮＢ２３０のいずれかを経由して、ＩＳＷ  ＧＷ２９０を介してＰＤＮにパケットをルーティングする。同様に、ＩＳＷ  ＧＷ２９０は、ＴＷＡＮ２１２またはＨｅＮＢ２３０のいずれかを経由して、ＵＥ２６２にパケットをルーティングする。
【０１９８】
（ＩＳＷ  ＧＷを介した信頼されていないＷＬＡＮとの３ＧＰＰインターワーキング）
前述の例示的実施形態では、ＷＬＡＮは、信頼されているＷＬＡＮであるものとして説明されている。しかしながら、代替実施形態は、信頼されていないＷＬＡＮを含み得ることが理解されるであろう。
【０１９９】
図１３は、信頼されていないＷＬＡＮ１３１０を含む、例示的システム実施形態のネットワーク略図を描写する。示されるように、信頼されていないＷＬＡＮ１３１０は、ｅＰＤＧ１３１２およびＩＳＷ  ＧＷ２９０を介して、ＥＰＣ２１４にアクセスし得る。ｅＰＤＧ１３１２は、信頼されていないＵＥ２６２とＰＤＮ  ＧＷ２２２との間の中間エンティティとして動作する。ｅＰＤＧ１３１２は、ＩＰＳｅｃトンネルを通して、ＵＥ２６２と通信する。ｅＰＤＧ１３１２は、ＧＴＰ−Ｕトンネルプロトコルを使用して、Ｓ２ｂインターフェースを経由して、ＰＤＮ  ＧＷ２２２と通信する。
【０２００】
インターフェースＳ１ｂは、ｅＰＤＧ１３１２とＩＳＷ  ＧＷ２９０との間に位置付けられる。例示的実施形態では、Ｓ１ｂインターフェースを経由して通信される制御およびデータプレーンは、それぞれ、ＧＴＰｖ２−ＣおよびＧＴＰ−Ｕプロトコルである。制御プレーンに関して、以前に提案されたＳ１ａインターフェースと同様に、「セッション作成要求／応答」メッセージは、Ｓ１ｂインターフェースを経由して転送され、ＴＷＡＮ２１２における使用のために上で説明されたものと同じ情報を伝達する（ＷＬＡＮ  ＡＮ２１０からＩＳＷ  ＧＷ２９０に）。ユーザプレーンに関して、ＧＴＰトンネルが、ＩＳＷ  ＧＷ２９０とｅＰＤＧ１３１２との間に確立される。標準的ＩＰＳｅｃトンネルが、標準的ＩＫＥｖ２プロトコルを使用して、ｅＰＤＧ１３１２とＵＥ２６２との間に確立され得る。
【０２０１】
以下のチャートは、信頼されているＷＬＡＮを備えている実施形態と信頼されていないＷＬＡＮを備えている実施形態との間の類似性および差異をハイライトする。チャートは、プロトコル、インターフェース、およびメッセージに関して、信頼されているＷＬＡＮと信頼されていないＷＬＡＮとの間の類似性を例証する。例示的実施形態に示されるように、ＵＥ認証プロシージャが、ＴＷＡＮ実施形態では、ＥＡＰプロシージャを使用して実施される一方、ＩＫＥｖ２プロシージャが、信頼されていないＷＬＡＮ実施形態のために使用される。信頼されていないＷＬＡＮ実施形態に関して、ＵＥ２６２は、ＩＫＥｖ２を経由して、ＥＡＰメッセージをｅＰＤＧ１３１２に送信することを理解されたい。ｅＰＤＧは、ＩＫＥｖ２を経由して、ＵＥから受信されるＥＡＰメッセージを抽出し、それらを３ＧＰＰ  ＡＡＡサーバ２１８に送信する。
【０２０２】
以下のチャートに記載のように、ＵＥ接続の確立に関して、ＷＬＣＰプロトコルが、信頼されているＷＬＡＮを備えている例示的実施形態において使用される一方、ＩＫＥｖ２プロトコルが、信頼されていないＷＬＡＮを備えている実施形態では、ＵＥとｅＰＤＧとの間のＩＰＳｅｃトンネルを確立するために使用される。
【０２０３】
コアネットワーク接続に関して、信頼されているＷＬＡＮおよび信頼されていないＷＬＡＮを備えている実施形態は、類似様式で動作する。両事例では、Ｓ１ａおよびＳ１ｂインターフェースは、同一「セッション作成要求／応答」メッセージを搬送し、同一ＧＴＰ−Ｕデータトンネリングプロトコルを適用する。
【０２０４】
【表７】
0006470392.tif 000008
図１４は、信頼されていないＷＬＡＮを採用するある実施形態において、初期接続を確立することに関連付けられる例示的処理を描写するフロー図である。処理は、信頼されているＷＬＡＮが使用される場合の初期接続の確立に関連する図８に関連して上で説明されたものに類似する。ハンドオーバーの実施およびマルチＰＤＮ接続の確立は、類似方式において拡張されることができる。
【０２０５】
図１４を参照すると、ステップ１において、ＴＳ３３．４０２（その内容は、参照することによって全体として本明細書に組み込まれる）に定義されたＩＫＥｖ２アクセス認証プロシージャが、ＵＥ２６２と３ＧＰＰ  ＥＰＣ２１４との間で使用される。
【０２０６】
ステップ２において、ＵＥ２６２は、ＩＫＥｖ２トンネル確立プロシージャを開始する。ＵＥがＩＰｓｅｃトンネルを形成するために必要なｅＰＤＧ  ＩＰアドレスが、ＴＳ２３．４０２の第４．５．４項（その内容は、参照することによってその全体として本明細書に組み込まれる）に規定されたＤＮＳクエリを介して、発見される。ＵＥ２６２は、ＩＫＥｖ２を介して、ＡＰＮを提供することによって、特定のＰＤＮ２２２への接続性を要求する。３ＧＰＰ  ＡＡＡサーバ２１８は、ＴＳ２３．４０２の第４．５．１項［２］に説明されるように、ＰＤＮ  ＧＷ情報をｅＰＤＧ１３１２に返す。
【０２０７】
ステップ３において、ｅＰＤＧ１３１２は、「セッション作成要求」メッセージを生成し、ＩＳＷ  ＧＷ２９０に通信することによって、セッションを開始する。ステップ３から１２は、図８に関連して上で説明されたステップ４−１３に類似する。処理は、Ｓ−ＧＷ２３８からＩＳＷ  ＧＷ２９０を通して、ＰＤＮ  ＧＷ２２２とｅＰＤＧ１３１２との間のＧＴＰ−Ｕトンネルの確立をもたらす（ステップ９、１１、および１２参照）。
【０２０８】
ステップ１３において、ｅＰＤＧ１３１２は、外部ＡＡＡサーバ２１８との認証および承認が成功したことをＵＥ２６２に通信する。
【０２０９】
ステップ１４において、ｅＰＤＧ１３１２は、ＩＫＥｖ２構成ペイロード内のＩＰアドレスを伴う最終ＩＫＥｖ２メッセージを生成し、ＵＥ２６２に通信する。ＩＰＳｅｃトンネルは、ここで、ＵＥ２６２とｅＰＤＧ１３１２との間に確立される。さらに、ＵＥ２６２からＰＤＮ  ＧＷ２２２へのＩＰ接続が、確立される。
【０２１０】
（例示的コンピューティング環境）
図１５Ａは、例えば、ＨｅＮＢネットワーク２３０またはＷＬＡＮ  ＡＮ１１０を実装するために使用され得るようなＵＥ２６２または無線基地局等の例示的無線通信デバイス３０の系統図である。図１５Ａに示されるように、デバイス３０は、プロセッサ３２と、送受信機３４と、伝送／受信要素３６と、スピーカ／マイクロホン３８と、キーパッド４０と、ディスプレイ／タッチパッド／インジケータ４２と、非取り外し可能なメモリ４４と、取り外し可能なメモリ４６と、電源４８と、全地球測位システム（ＧＰＳ）チップセット５０と、他の周辺機器５２とを含み得る。例示的実施形態では、ディスプレイ／タッチパッド／インジケータ４２は、ユーザインターフェースの一部として動作する、１つ以上のインジケータを備え得る。デバイス３０は、実施形態と一致したままで、前述の要素の任意の副次的組み合わせを含み得ることを理解されたい。図１５Ａのデバイス３０は、上記に議論されるようなシステム間移動性システムおよび方法のためのサービングゲートウェイ拡張を使用するデバイスであり得る。
【０２１１】
プロセッサ３２は、汎用プロセッサ、専用プロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、１つ以上の特定用途向け集積回路（ＡＳＩＣ）、１つ以上のフィールドプログラマブルゲートアレイ（ＦＰＧＡ）回路、任意の他のタイプおよび数の集積回路（ＩＣ）、状態マシン等であり得る。プロセッサ３２は、信号符号化、データ処理、電力制御、入出力処理、および／またはデバイス３０が無線環境で動作することを可能にする任意の他の機能性を実施し得る。プロセッサ３２は、伝送／受信要素３６に結合され得る、送受信機３４に結合され得る。図１５Ａは、プロセッサ３２および送受信機３４を別個の構成要素として描写するが、プロセッサ３２および送受信機３４は、電子パッケージまたはチップにともに統合され得ることを理解されたい。プロセッサ３２は、アプリケーション層プログラム（例えば、ブラウザ）および／または無線アクセス層（ＲＡＮ）プログラムおよび／または通信を実施し得る。プロセッサ３２は、例えば、アクセス層および／またはアプリケーション層等で、認証、セキュリティキー一致、および／または暗号化動作等のセキュリティ動作を実施し得る。
【０２１２】
伝送／受信要素３６は、ｅＮｏｄｅ−Ｂ、Ｈｏｍｅ  ｅＮｏｄｅ−Ｂ、Ｗｉ−Ｆｉアクセスポイント等に信号を伝送するように、および／またはそれらから信号を受信するように構成され得る。例えば、ある実施形態では、伝送／受信要素３６は、ＲＦ信号を伝送および／または受信するように構成されるアンテナであり得る。伝送／受信要素３６は、ＷＬＡＮ、ＷＰＡＮ、セルラー等の種々のネットワークおよびエアインターフェースをサポートし得る。ある実施形態では、伝送／受信要素３６は、例えば、ＩＲ、ＵＶ、または可視光信号を伝送および／または受信するように構成されるエミッタ／検出器であり得る。さらに別の実施形態では、伝送／受信要素３６は、ＲＦおよび光信号の両方を伝送および受信するように構成され得る。伝送／受信要素３６は、無線または有線信号の任意の組み合わせを伝送および／または受信するように構成され得ることを理解されたい。
【０２１３】
加えて、伝送／受信要素３６は、単一の要素として図１５Ａに描写されているが、デバイス３０は、任意の数の伝送／受信要素３６を含み得る。より具体的には、デバイス３０は、ＭＩＭＯ技術を採用し得る。したがって、ある実施形態では、デバイス３０は、無線信号を伝送および受信するための２つ以上の伝送／受信要素３６（例えば、複数のアンテナ）を含み得る。
【０２１４】
送受信機３４は、伝送／受信要素３６によって伝送される信号を変調するように、および伝送／受信要素３６によって受信される信号を復調するように構成され得る。上記に留意されるように、デバイス３０は、マルチモード能力を有し得る。したがって、送受信機３４は、デバイス３０が、例えば、ＵＴＲＡおよびＩＥＥＥ８０２．１１等の複数のＲＡＴを介して通信することを可能にするための複数の送受信機を含み得る。
【０２１５】
プロセッサ３２は、非取り外し可能なメモリ４４および／または取り外し可能なメモリ４６等の任意のタイプの好適なメモリから情報にアクセスし、そこにデータを記憶し得る。非取り外し可能なメモリ４４は、ランダムアクセスメモリ（ＲＡＭ）、読み取り専用メモリ（ＲＯＭ）、ハードディスク、または任意の他のタイプのメモリ記憶デバイスを含み得る。取り外し可能なメモリ４６は、加入者識別モジュール（ＳＩＭ）カード、メモリスティック、セキュアデジタル（ＳＤ）メモリカード等を含み得る。他の実施形態では、プロセッサ３２は、サーバまたはホームコンピュータ上等のデバイス３０上に物理的に位置しないメモリから情報にアクセスし、そこにデータを記憶し得る。
【０２１６】
プロセッサ３０は、電源４８から電力を受容し得、デバイス３０内の他の構成要素への電力を分配および／または制御するように構成され得る。電源４８は、デバイス３０に電力供給するための任意の好適なデバイスであり得る。例えば、電源４８は、１つ以上の乾電池バッテリ（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）等）、太陽電池、燃料電池等を含み得る。
【０２１７】
プロセッサ３２はまた、デバイス３０の現在の場所に関する場所情報（例えば、経度および緯度）を提供するように構成され得るＧＰＳチップセット５０に結合され得る。デバイス３０は、実施形態と一致したままで、任意の好適な場所決定方法を用いて場所情報を取得し得ることを理解されたい。
【０２１８】
プロセッサ３２はさらに、追加の特徴、機能性、および／または有線もしくは無線接続を提供する１つ以上のソフトウェアおよび／またはハードウェアモジュールを含み得る、他の周辺機器５２に結合され得る。例えば、周辺機器５２は、加速度計、ｅ−コンパス、衛星送受信機、センサ、デジタルカメラ（写真またはビデオ用）、ユニバーサルシリアルバス（ＵＳＢ）ポート、振動デバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ等を含み得る。
【０２１９】
図１５Ｂは、本明細書に説明されるシステムおよび方法を実装するために使用され得る例示的コンピューティングシステム９０のブロック図を描写する。例えば、コンピューティングシステム１０００は、例えば、本明細書等に参照されるＩＳＷ  ＧＷ２９０、ＭＭＥ２３４、ＳＧＷ２３８、ＷＬＡＮ２１０、ＴＷＡＰ２６０、ＰＧＷ２２２、および３ＧＰＰ  ＡＡＡサーバ２１８として動作するデバイスを実装するために使用され得る。コンピュータシステム９０は、コンピュータまたはサーバを備え得、主として、ソフトウェアの形態であり得るコンピュータ読み取り可能な命令によって制御され得、どこでも、またはどのような手段を用いても、そのようなソフトウェアが記憶もしくはアクセスされる。そのようなコンピュータ読み取り可能な命令は、コンピューティングシステム９０を稼働させるように、中央処理ユニット（ＣＰＵ）９１内で実行され得る。多くの公知のワークステーション、サーバ、およびパーソナルコンピュータにおいて、中央処理ユニット９１は、マイクロプロセッサと呼ばれる単一チップＣＰＵによって実装される。他の機械において、中央処理ユニット９１は、複数のプロセッサを備え得る。コプロセッサ８１は、追加の機能を果たすか、またはＣＰＵ９１を補助する、主要ＣＰＵ９１とは異なる随意のプロセッサである。ＣＰＵ９１および／またはコプロセッサ８１は、例えば、ＩＳＷ  ＧＷ２９０、ＭＭＥ２３４、ＳＧＷ２３８、ＷＬＡＮ２１０、ＴＷＡＰ２６０、ＰＧＷ２２２、および３ＧＰＰ  ＡＡＡサーバ２１８に関連して論じられるものを含む、前述のような開示されるシステム間移動性システムおよび方法に関連するデータを受信、生成、および処理し得る。
【０２２０】
動作時、ＣＰＵ９１は、命令をフェッチ、復号、および実行し、コンピュータの主要データ転送経路であるシステムバス８０を介して、情報を他のリソースへ、およびそこから転送する。そのようなシステムバスは、コンピューティングシステム９０内の構成要素を接続し、データ交換のための媒体を定義する。システムバス８０は、典型的には、データを送信するためのデータライン、アドレスを送信するためのアドレスライン、ならびに割り込みを送信するため、およびシステムバスを動作させるための制御ラインを含む。そのようなシステムバス８０の実施例は、ＰＣＩ（周辺構成要素相互接続）バスである。
【０２２１】
システムバス８０に結合されるメモリデバイスは、ランダムアクセスメモリ（ＲＡＭ）８２および読み取り専用メモリ（ＲＯＭ）９３を含む。そのようなメモリは、情報が記憶され、読み出されることを可能にする回路を含む。ＲＯＭ９３は、概して、容易に修正されることができない記憶されたデータを含む。ＲＡＭ８２に記憶されたデータは、ＣＰＵ９１または他のハードウェアデバイスによって読み取られるか、または変更され得る。ＲＡＭ８２および／またはＲＯＭ９３へのアクセスは、メモリコントローラ９２によって制御され得る。メモリコントローラ９２は、命令が実行されると、仮想アドレスを物理的アドレスに変換するアドレス変換機能を提供し得る。メモリコントローラ９２はまた、システム内のプロセスを分離し、ユーザプロセスからシステムプロセスを分離する、メモリ保護機能を提供し得る。したがって、第１のモードで作動するプログラムは、それ自身のプロセス仮想アドレス空間によってマッピングされるメモリのみにアクセスすることができ、プロセス間のメモリ共有が設定されていない限り、別のプロセスの仮想アドレス空間内のメモリにアクセスすることができない。
【０２２２】
加えて、コンピューティングシステム９０は、ＣＰＵ９１からプリンタ９４、キーボード８４、マウス９５、およびディスクドライブ８５等の周辺機器に命令を通信することに関与する、周辺機器コントローラ８３を含み得る。
【０２２３】
ディスプレイコントローラ９６によって制御されるディスプレイ８６は、コンピューティングシステム９０によって生成される視覚出力を表示するために使用される。そのような視覚出力は、テキスト、グラフィックス、動画グラフィックス、およびビデオを含み得る。ディスプレイ８６は、ＣＲＴベースのビデオディスプレイ、ＬＣＤベースのフラットパネルディスプレイ、ガスプラズマベースのフラットパネルディスプレイ、またはタッチパネルを伴って実装され得る。ディスプレイコントローラ９６は、ディスプレイ８６に送信されるビデオ信号を生成するために要求される、電子構成要素を含む。
【０２２４】
さらに、コンピューティングシステム９０は、ＰＤＮ等の外部通信ネットワークにコンピューティングシステム９０を接続するために使用され得る、ネットワークアダプタ９７を含み得る。ある実施形態では、ネットワークアダプタ９７は、システム間移動性システムおよび方法のための開示されるサービングゲートウェイ拡張に関するデータを受信および伝送し得る。
【０２２５】
故に、出願人は、統合される無線ネットワークにおけるシステム間移動性のための例示的システムおよび方法を開示した。ＩＳＷ  ＧＷは、移動性管理エンティティ（ＭＭＥ）およびサービングゲートウェイ（ＳＧＷ）と統合され、３ＧＰＰアクセスネットワークおよびＴＷＡＮの両方とのインターフェースを有する。ＩＳＷ  ＧＷは、ＬＴＥネットワークおよびＴＷＡＮの両方のための共通制御ゲートウェイおよび共通ユーザゲートウェイとして動作する。ユーザ機器（ＵＥ）は、ＩＳＷ  ＧＷを用いることによって、ＬＴＥネットワークまたはＴＷＡＮのいずれかを通して、パケットデータネットワーク（ＰＤＮ）の能力にアクセスすることが可能である。さらに、ＩＳＷ  ＧＷは、ＵＥとＰＤＮとの間の既存の通信接続がＬＴＥネットワークまたはＴＷＡＮのうちの一方から他方にハンドオーバーされことを提供する。なおさらに、ＩＳＷ  ＧＷは、１つはＬＴＥネットワークを介して、１つはＴＷＡＮを介して、ＵＥとパケットネットワークとの間の２つの通信経路の同時維持をサポートする。
【０２２６】
開示されるシステムおよび方法は、種々の利益をもたらし得る。例えば、通信性能は、ネットワークのエッジの近くでシステム間移動性プロシージャの実行を可能にすることによって改良される。通信待ち時間は、コアネットワークの深い、すなわち、ＰＧＷに向かう信号通信プロシージャの必要性を最小化することによって短縮される。これは、特に、ＭＮＯが共通地理的エリア内でスモールセルおよびＷｉ−Ｆｉアクセスの両方を採用するとき、有益であり得る。スケーラビリティも、ＰＧＷ処理負荷を減らすことによって、例えば、ＭＭＥおよびＳＧＷにいくつかのシステム間移動性を分散させることによって改良される。
【０２２７】
１つはＬＴＥを介し、１つはＷｉ−Ｆｉを介する同時接続を確立する能力は、移動性のロバスト性を改良し、ハンドオーバーのピンポンを低減させる。ＰＤＮへの代替経路が、ハンドオーバー設定の遅延を招くことなく、必要に応じて利用可能にされることができる。これは、スモールセルおよびＷｉ−Ｆｉアクセスポイントの限定されたカバレッジを考慮すると、一般的な事象であり得る、プライマリデータパスが劣化したときのセッション中断を低減させることによって、ユーザ体験を改良する。
【０２２８】
例証的実施形態が開示されたが、潜在的な実施形態の範囲は、明示的に立案されるものに限定されないことを理解されたい。例えば、システムは、「信頼されている」ＷＬＡＮアクセスネットワーク（ＴＷＡＮ）を主に参照して説明されたが、想定される実施形態は、「信頼されていない」ＷＬＡＮを採用する実施形態にも及ぶ。さらに、開示される実施形態は、開示される実施形態は、特定のプロトコルおよびメッセージフォーマットに限定されず、むしろ、任意の好適なプロトコルおよびフォーマッティングを採用し得ることを理解されたい。なおさらに、開示される実施形態は、ＩＳＷ  ＧＷを参照するが、ＩＳＷ  ＧＷに関連付けられた機能性が、例えば、ＨｅＮＢ  ＧＷまたはＭＭＥ等の別の構成要素の中に組み込まれ得ることを理解されたい。
【０２２９】
本明細書に説明される種々の技法は、ハードウェアまたはソフトウェア、もしくは適切である場合、両方の組み合わせに関連して実装され得ることを理解されたい。したがって、本明細書に説明される主題の方法および装置、またはそれらのある側面もしくは部分は、フロッピディスケット、ＣＤ−ＲＯＭ、ハードドライブ、または任意の他の機械読み取り可能な記憶媒体等の有形媒体で具現化されるプログラムコード（すなわち、命令）の形態をとり得、プログラムコードがコンピュータ等の機械にロードされ、それによって実行されると、機械は、本明細書に説明される主題を実践するための装置になる。プログラムコードが媒体上に記憶される場合、当該プログラムコードが、当該アクションを集合的に実施する１つ以上の媒体上に記憶される場合、すなわち、１つ以上の媒体が、まとめて、アクションを実施するコードを含む場合であり得るが、２つ以上の媒体がある場合、コードの任意の特定の部分が任意の特定の媒体上に記憶されるという要件はない。プログラマブルコンピュータ上のプログラムコード実行の場合、コンピューティングデバイスは、概して、プロセッサ、（揮発性および不揮発性メモリおよび／または記憶要素を含む）プロセッサによって読み取り可能なである記憶媒体、少なくとも１つの入力デバイス、および少なくとも１つの出力デバイスを含む。１つ以上のプログラムは、例えば、ＡＰＩ、再利用可能制御等の使用を通して、本明細書に説明される主題に関連して説明されるプロセッサを実装または利用し得る。そのようなプログラムは、好ましくは、コンピュータシステムと通信するように、高レベル手続き型またはオブジェクト指向プログラミング言語で実装される。しかしながら、プログラムは、所望であれば、アセンブリまたは機械言語で実装することができる。いずれの場合でも、言語は、コンパイラ型またはインタープリタ型言語であり得、ハードウェア実装と組み合わせられ得る。
【０２３０】
例示的実施形態は、１つ以上の独立型コンピュータシステムもしくはデバイスの文脈において本明細書に説明される主題の側面を利用することを参照し得るが、本明細書に説明される主題は、そのように限定されず、むしろ、ネットワークまたは分散型コンピューティング環境等の任意のコンピューティング環境に関連して実装され得る。なおさらに、本明細書に説明される主題の側面は、複数の処理チップまたはデバイスで、またはそれらにわたって実装され得、記憶が、同様に複数のデバイスにわたって影響を受けてもよい。そのようなデバイスは、パーソナルコンピュータ、ネットワークサーバ、ハンドヘルドデバイス、スーパーコンピュータ、または自動車および航空機等の他のシステムに統合されるコンピュータを含み得る。
【０２３１】
以下は、上での説明で出現し得るサービスレベル技術に関する頭字語のリストである。
ＡＡＡ    認証、承認、および課金
ＡＮＤＳＦ  アクセスネットワーク発見および選択機能
ＡＮＱＰ    アクセスネットワーククエリプロトコル
ＡＰ    アクセスポイント
ＡＰＮ    アクセスポイント名
ＣＡＰＷＡＰ  無線アクセスポイントの制御およびプロビジョニング
ＤＨＣＰ    動的ホスト構成プロトコル
ＥＡＰ    拡張認証プロトコル
ＥＡＰ−ＡＫＡ  ＥＡＰ認証およびキー一致
ＥＡＰ−ＡＫＡ’  ＥＡＰＡＫＡ「主要」
ＥＡＰｏＬ  ＬＡＮを経由したＥＡＰ
ＥＰＣ    進化型パケットコア
ｅＰＤＧ    進化型パケットデータゲートウェイ
ＧＰＲＳ    汎用パケット無線サービス
ＧＴＰ    ＧＰＲＳトンネリングプロトコル
ＨｅＮＢ    ホーム進化型ノードＢ
ＨＳＳ    ホーム加入システム
ＩＥＴＦ    インターネット技術標準化委員会
ＩＫＥｖ２  インターネットキーエクスチェンジプロトコルバージョン２
ＩＭＳＩ    移動加入者識別番号
ＩＰ    インターネットプロトコル
ＩＳＷ    統合されたスモールセルおよびＷｉ−Ｆｉ
ＩＳＷＮ    統合されたスモールセルおよびＷｉ−Ｆｉネットワーク
ＬＴＥ    ロングタームエボリューション
ＭＡＣ    媒体アクセス制御
ＭＡＰＣＯＮ  マルチアクセスＰＤＮ接続
ＭＣＮ    モバイルコアネットワーク
ＭＭＥ    移動性管理エンティティ
ＭＮＯ    携帯電話ネットワークオペレータ
ＮＡＳ    非アクセス層
ＯＡＭ    動作、管理、および保守
ＰＣＲＦ    ポリシーおよび課金ルール機能
ＰＤＮ    パケットデータネットワーク
ＰＧＷ    ＰＤＮゲートウェイ
ＰＭＩＰ    プロキシモバイルＩＰ
ＱｏＥ    体感品質
ＱｏＳ    サービス品質
ＲＡＴ    無線アクセス技術
ＲＲＣ    無線リソース制御
ＳａＭＯＧ  ＧＴＰを経由したＳ２ａ移動性
ＳＣＦ    スモールセルフォーラム
ＳＣＴＰ    ストリーム制御トランスポートプロトコル
ＳＧＷ    サービングゲートウェイ
ＳＮＭＰ    シンプルネットワーク管理プロトコル
ＴＥＩＤ    トンネリング端点識別子
ＴＷＡＧ    信頼されているＷＬＡＮアクセスゲートウェイ
ＴＷＡＮ    信頼されているＷＬＡＮアクセスネットワーク
ＴＷＡＰ    信頼されているＷＬＡＮ  ＡＡＡプロキシ
ＵＤＰ    ユーザデータグラムプロトコル
ＵＥ    ユーザ機器
ＵＳＩＭ    ＵＭＴＳ加入者識別モジュール
ＷＢＡ    ワイヤレスブロードバンドアライアンス
ＷＦＡ    Ｗｉ−Ｆｉアライアンス
ＷＬＡＮ    無線ローカルエリアネットワーク
ＷＬＣ    無線ＬＡＮコントローラ
ＷＬＣＰ    無線ＬＡＮ制御プロトコル
本主題は、構造的特徴および／または方法の行為に特有の言語で説明されたが、添付される請求項で定義される主題は、必ずしも、上記に説明される具体的特徴または行為に限定されないことを理解されたい。むしろ、上記に説明される具体的特徴および行為は、請求項を実装する例示的形態として開示される。
【図１】
0006470392.tif 000009
【図２】
0006470392.tif 000010
【図３】
0006470392.tif 000011
【図４】
0006470392.tif 000012
【図５】
0006470392.tif 000013
【図６】
0006470392.tif 000014
【図７】
0006470392.tif 000015
【図８】
0006470392.tif 000016
【図９Ａ】
0006470392.tif 000017
【図９Ｂ】
0006470392.tif 000018
【図１０Ａ】
0006470392.tif 000019
【図１０Ｂ】
0006470392.tif 000020
【図１１Ａ】
0006470392.tif 000021
【図１１Ｂ】
0006470392.tif 000022
【図１１Ｃ】
0006470392.tif 000023
【図１２Ａ】
0006470392.tif 000024
【図１２Ｂ】
0006470392.tif 000025
【図１２Ｃ】
0006470392.tif 000026
【図１３】
0006470392.tif 000027
【図１４】
0006470392.tif 000028
【図１５Ａ】
0006470392.tif 000029
【図１５Ｂ】
0006470392.tif 000030